(57)【要約】      （修正有）【課題】複数の識別情報が存在するパチンコ遊技機において、いずれか一方の識別情報のみの変動が許容される第一調整モードと複数の識別情報が同時に変動することが許容されている第二調整モードとのモード切替に際し、遊技性の複雑化を回避し、モード切替を円滑にする手段の提供。【解決手段】第一識別情報及び第二識別情報のいずれかの識別情報が変動表示中である場合には他方の識別情報の変動開始を待機させる第一調整モードと、第一識別情報及び第二識別情報のいずれかの識別情報が変動中である場合にも他方の識別情報の変動開始を待機させない第二調整モードとを、所定の契機に達した場合に切替える調整モード切替判定実行手段を有し、調整モード切替判定実行手段は、第二調整モードから第一調整モードに切替える時点で、第一識別情報及び第二識別情報の両方が変動中である場合、いずれかの識別情報の変動が停止するまで前記モード切替を待機する。【選択図】図１０
2007111376.tif 000002
【特許請求の範囲】
【請求項１】
遊技球が入球可能な第一始動口と、
第一識別情報を変動表示及び停止表示可能な第一識別情報表示部と、
開状態と閉状態を採り得る第一可変入賞口と、
前記第一始動口への遊技球の入球に基づき、第一遊技の内容を決定する第一乱数を取得する第一乱数取得手段と、
前記第一乱数に基づき、前記第一識別情報の変動内容と停止識別情報を決定する第一識別情報表示内容決定手段と、
前記第一乱数を記憶するための第一乱数記憶手段と、
前記第一識別情報の変動開始条件を充足していない場合、所定条件下で前記第一乱数を前記第一乱数記憶手段中に一時的に記憶させる第一乱数一時記憶判定実行手段と、
前記第一識別情報変動開始条件を充足している場合、前記第一識別情報表示内容決定手段により決定された表示内容に従い、前記第一識別情報表示部で前記第一識別情報を前記変動内容で変動表示した後、前記停止識別情報を表示するよう制御する第一識別情報表示制御手段と、
非特別遊技状態から前記非特別遊技状態よりも遊技者にとって有利な第一特別遊技に移行する一条件である、前記停止識別情報が所定態様であるか否かを判定するための第一特別遊技移行条件判定手段と、
前記第一可変入賞口を前記開状態にし、前記第一特別遊技を実行するための第一特別遊技実行手段と、
遊技球が入球可能な第二始動口と、
第二識別情報を変動表示及び停止表示可能な第二識別情報表示部と、
開状態と閉状態を採り得る、第一可変入賞口と同一又は相違する第二可変入賞口と、
前記第二始動口への遊技球の入球に基づき、第二遊技の内容を決定する第二乱数を取得する第二乱数取得手段と、
前記第二乱数に基づき、前記第二識別情報の変動内容と停止識別情報を決定する第二識別情報表示内容決定手段と、
前記第二乱数を記憶するための第二乱数記憶手段と、
前記第二識別情報の変動開始条件を充足していない場合、所定条件下で前記第二乱数を前記第二乱数記憶手段中に一時的に記憶させる第二乱数一時記憶判定実行手段と、
前記第二識別情報変動開始条件を充足している場合、前記第二識別情報表示内容決定手段により決定された表示内容に従い、前記第二識別情報表示部で前記第二識別情報を前記変動内容で変動表示した後、前記停止識別情報を表示するよう制御する第二識別情報表示制御手段と、
非特別遊技状態から前記非特別遊技状態よりも遊技者にとって有利な第二特別遊技に移行する一条件である、前記停止識別情報が所定態様であるか否かを判定するための第二特別遊技移行条件判定手段と、
前記第二可変入賞口を前記開状態にし、前記第二特別遊技を実行するための第二特別遊技実行手段と
を有するパチンコ遊技機において、
前記第一識別情報及び前記第二識別情報のいずれかの識別情報が変動表示中である場合には他方の識別情報の変動開始を待機させる第一調整モードと、前記第一識別情報及び前記第二識別情報のいずれかの識別情報が変動中である場合にも他方の識別情報の変動開始を待機させない第二調整モードとを、所定の契機に達した場合に切替えるための調整モード切替判定実行手段を更に有しており、
前記調整モード切替判定実行手段は、前記第二調整モードから前記第一調整モードに切替えるための前記所定の契機に達した時点で、前記第一識別情報及び前記第二識別情報の両方が変動中である場合には、いずれかの識別情報の変動が停止するまで前記モード切替を待機する
ことを特徴とするパチンコ遊技機。
【請求項２】
前記調整モード切替判定実行手段は、前記第一調整モードから前記第二調整モードに切替えるための前記所定の契機に達した時点でただちに前記モード切替を実行する、請求項１記載のパチンコ遊技機。
【請求項３】
前記調整モード切替判定実行手段は、前記第二調整モードから前記第一調整モードに切替える際、前記第一乱数記憶手段及び前記第二乱数記憶手段中に一時記憶されている前記第一乱数及び前記第二乱数がどのような順序で解除されるかを決定する、請求項１又は２記載のパチンコ遊技機。
【発明の詳細な説明】
【技術分野】
【０００１】
本発明は、始動口への遊技球の入球に基づいて乱数を取得し、当該乱数が当選値である場合、遊技者にとって有利な特別遊技状態に移行するタイプのパチンコ遊技機であって、特に、別々の始動口への遊技球の入球に基づいて別々に抽選を行なうパチンコ遊技機に関する。
【背景技術】
【０００２】
現在最も普及しているパチンコ遊技機は、始動口に遊技球が入球したことを契機として、液晶等のディスプレー上で、通常は三列の図柄列が上下又は左右に図柄変動を行い、所定時間後に停止した結果、有効ライン上に所定態様（例えば「７７７」）が揃った場合、通常遊技時には閉状態にある可変入賞口が開状態となる特別遊技に移行するタイプの機種（いわゆる「デジパチ」や従来の「第一種」と称される機種）である（例えば特許文献１）。ここで、この種のタイプのパチンコ遊技機の多くは、図柄変動中や特別遊技状態中に始動口に遊技球が入球した場合、所定数（例えば４個）を上限として、当該入賞に基づく図柄変動を保留状態とする保留機能を備えている。そして、保留状態が解除された場合、保留された順に図柄変動が行なわれる。
【特許文献１】特開２００３−２３０７１４号公報
【発明の開示】
【発明が解決しようとする課題】
【０００３】
ところで、近年、遊技性向上を更に追及すべく、従来の第一種、第二種、第三種等の枠に縛られない機種開発の必要性が認識されている。しかしながら、従来の遊技性から余りに逸脱してしまうと遊技性の複雑化を招き、遊技者から敬遠される原因ともなりかねない。遊技者にとって遊技性の理解を容易にするためには、従来の仕様の主要部分を踏襲して親しみやすさを維持することが必要であり、その上で斬新な遊技が実現されるような機種の開発が望まれている。
【０００４】
ここで、当該複数の機能を有する遊技機における前記保留状態の解除に関しては、一方の始動口への入球に基づく識別情報変動中である場合には他方の始動口への入球に基づく識別情報の変動を待機させる第一調整モード（直列タイプ）と、一方の始動口への入球に基づく識別情報変動中である場合にも他方の始動口への入球に基づく識別情報の変動を待機させない第二調整モード（並列タイプ）とが想定される。例えば、直列タイプの場合には、一方の始動口への入球に基づく保留解除と、他方の始動口への入球に基づく保留解除が交互に実行されたり、両方の始動口への入球順に従い、いずれか一方の始動口への入球に基づく保留の解除が実行される。例えば、後者の場合、第1始動口、第２始動口、第２始動口の順序で入球したときには、第１特別図柄、第２特別図柄、第２特別図柄の順に変動表示される。他方、並列タイプの場合には、各始動口への入球に基づく保留の解除は、他の始動口への入球に基づく識別情報変動に関係なく、夫々の始動口への入球順に独立して実行される。
【０００５】
このように、第一調整モードでは、一方の識別情報の保留解除に関しては、他方の識別情報が変動禁止状態になっているか等、第二調整モードと比較すると過重解除要件が課されている。したがって、本発明は、当該過重解除要件が存在する状況下でも、遊技性の複雑化を回避しつつ、モード切替を円滑に実行できる手段を提供することを目的とする。
【課題を解決するための手段】
【０００６】
本発明者は、上記課題を解決するために鋭意研究した結果、本発明（１）〜（３）を完成させたものである。
【０００７】
本発明（１）は、遊技球が入球可能な第一始動口（第１特図始動口２１１０）と、
第一識別情報（第１特別図柄）を変動表示及び停止表示可能な第一識別情報表示部（第１特図表示部２１３１）と、
開状態と閉状態を採り得る第一可変入賞口（第１大入賞口２１２０）と、
前記第一始動口（第１特図始動口２１１０）への遊技球の入球に基づき、第一遊技の内容を決定する第一乱数を取得する第一乱数取得手段（第１特図抽選手段１１２１）と、
前記第一乱数に基づき、前記第一識別情報（第１特別図柄）の変動内容と停止識別情報を決定する第一識別情報表示内容決定手段（第１特図内容決定手段１１４１）と、
前記第一乱数を記憶するための第一乱数記憶手段（第１特図保留情報一時記憶手段１１３１ａ）と、
前記第一識別情報（第１特別図柄）の変動開始条件を充足していない場合、所定条件下で前記第一乱数を前記第一乱数記憶手段（第１特図保留情報一時記憶手段１１３１ａ）中に一時的に記憶させる第一乱数一時記憶判定実行手段（第１特図保留手段１１３１）と、
前記第一識別情報（第１特別図柄）変動開始条件を充足している場合、前記第一識別情報表示内容決定手段（第１特図内容決定手段１１４１）により決定された表示内容に従い、前記第一識別情報表示部（第１特図表示部２１３１）で前記第一識別情報（第１特別図柄）を前記変動内容で変動表示した後、前記停止識別情報を表示するよう制御する第一識別情報表示制御手段（第１特図制御手段１１５１）と、
非特別遊技状態から前記非特別遊技状態よりも遊技者にとって有利な第一特別遊技に移行する一条件である、前記停止識別情報が所定態様であるか否かを判定するための第一特別遊技移行条件判定手段（第１条件判定手段１１７１ａ）と、
前記第一可変入賞口（第１大入賞口２１２０）を前記開状態にし、前記第一特別遊技を実行するための第一特別遊技実行手段（第１特別遊技実行手段１１７１ｂ）と、
遊技球が入球可能な第二始動口（第２特図始動口２２１０）と、
第二識別情報（第２特別図柄）を変動表示及び停止表示可能な第二識別情報表示部（第２特図表示部２２３１）と、
開状態と閉状態を採り得る、第一可変入賞口（第１大入賞口２１２０）と同一又は相違する第二可変入賞口（第２大入賞口２２２０）と、
前記第二始動口（第２特図始動口２２１０）への遊技球の入球に基づき、第二遊技の内容を決定する第二乱数を取得する第二乱数取得手段（第２特図抽選手段１１２２）と、
前記第二乱数に基づき、前記第二識別情報（第２特別図柄）の変動内容と停止識別情報を決定する第二識別情報表示内容決定手段（第２特図内容決定手段１１４２）と、
前記第二乱数を記憶するための第二乱数記憶手段（第２特図保留情報一時記憶手段１１３２ａ）と、
前記第二識別情報（第２特別図柄）の変動開始条件を充足していない場合、所定条件下で前記第二乱数を前記第二乱数記憶手段（第２特図保留情報一時記憶手段１１３２ａ）中に一時的に記憶させる第二乱数一時記憶判定実行手段（第２特図保留手段１１３２）と、
前記第二識別情報（第２特別図柄）変動開始条件を充足している場合、前記第二識別情報表示内容決定手段（第２特図内容決定手段１１４２）により決定された表示内容に従い、前記第二識別情報表示部（第２特図表示部２２３１）で前記第二識別情報（第２特別図柄）を前記変動内容で変動表示した後、前記停止識別情報を表示するよう制御する第二識別情報表示制御手段（第２特図制御手段１１５２）と、
非特別遊技状態から前記非特別遊技状態よりも遊技者にとって有利な第二特別遊技に移行する一条件である、前記停止識別情報が所定態様であるか否かを判定するための第二特別遊技移行条件判定手段（第２条件判定手段１１７２ａ）と、
前記第二可変入賞口（第２大入賞口２２２０）を前記開状態にし、前記第二特別遊技を実行するための第二特別遊技実行手段（第２特別遊技実行手段１１７２ｂ）と
を有するパチンコ遊技機において、
前記第一識別情報（第１特別図柄）及び前記第二識別情報（第２特別図柄）のいずれかの識別情報が変動表示中である場合には他方の識別情報の変動開始を待機させる第一調整モード（擬似通常遊技状態）と、前記第一識別情報（第１特別図柄）及び前記第二識別情報（第２特別図柄）のいずれかの識別情報が変動中である場合にも他方の識別情報の変動開始を待機させない第二調整モード（擬似確率変動遊技状態）とを、所定の契機に達した場合に切替えるための調整モード切替判定実行手段（調整モード制御手段１２３０）を更に有しており、
前記調整モード切替判定実行手段（調整モード制御手段１２３０）は、前記第二調整モード（擬似確率変動遊技状態）から前記第一調整モード（擬似通常遊技状態）に切替えるための前記所定の契機に達した時点で、前記第一識別情報（第１特別図柄）及び前記第二識別情報（第２特別図柄）の両方が変動中である場合には、いずれかの識別情報の変動が停止するまで前記モード切替を待機する
ことを特徴とするパチンコ遊技機である。
【０００８】
本発明（２）は、前記調整モード切替判定実行手段（調整モード制御手段１２３０）は、前記第一調整モード（擬似通常遊技状態）から前記第二調整モード（擬似確率変動遊技状態）に切替えるための前記所定の契機に達した時点でただちに前記モード切替を実行する、前記発明（１）のパチンコ遊技機である。
【０００９】
本発明（３）は、前記調整モード切替判定実行手段（調整モード制御手段１２３０）は、前記第二調整モード（擬似確率変動遊技状態）から前記第一調整モード（擬似通常遊技状態）に切替える際、前記第一乱数記憶手段（第１特図保留情報一時記憶手段１１３１ａ）及び前記第二乱数記憶手段（第２特図保留情報一時記憶手段１１３２ａ）中に一時記憶されている前記第一乱数及び前記第二乱数がどのような順序で解除されるかを決定する、前記発明（１）又は（２）のパチンコ遊技機である。
【００１０】
ここで、本特許請求の範囲及び本明細書における各用語の意義について説明する。まず、「入球」とは、賞球が払い出させる入賞のみならず、遊技者に対して何らかの利益状態を生じ得るもの一切を包含する概念であり、いわゆる「スルーチャッカー」や入賞口を含む。「入賞」とは、賞球払出に関連する概念である。「識別情報」とは、視覚的に認識可能なものであれば特に限定されず、例えば、数字、文字、図柄等を挙げることができる（例えば、特別図柄、装飾図柄、普通図柄）。「開状態」とは、遊技球が流入可能な状態や流入し易い状態を指し、「閉状態」とは、遊技球が流入不能な状態や遊技球が流入困難な状態を指す。「第一乱数」及び「第二乱数」の「乱数」とは、パチンコ遊技機において何らかの遊技内容を決定するための抽選（電子計算機によるくじ）に使用される乱数（遊技内容決定乱数）であり、例えば、遊技の結果に影響を与えるいわゆる「基本乱数」、具体的には、特別遊技の移行と関連した「当選乱数」、識別図柄の変動態様（又は変動時間）を決定するための「変動態様決定乱数」、停止図柄を決定する「図柄決定乱数」、特別遊技後に特定遊技（例えば確率変動遊技）に移行するか否かを決定する「当たり図柄決定乱数」等を挙げることができる。尚、変動態様の内容や確定識別情報の内容等を決定する際、これらすべての乱数を使用する必要はなく、互いに同一又は相違する、少なくとも一つの乱数を使用すればよい。また、例えば、一つの乱数（例えば当選乱数）が、別の乱数（例えば図柄決定乱数）を兼ねていてもよい。「前記第一乱数を記憶」及び「前記第二乱数を記憶」は、取得したすべての乱数値を記憶する場合のみならず、例えば、遊技の結果に影響を与える「基本乱数値」のみを記録する場合も包含する。「乱数に基づき」とは、識別情報の変動内容や停止識別情報を当該乱数から直接的に決定する場合のみならず、当該乱数から直接決定された事項から間接的に決定する場合も包含する（例えば、停止図柄を乱数から直接決定し、当該停止図柄から変動内容を決定する場合、特別図柄を乱数から直接決定し、当該特別図柄から装飾図柄を決定する場合）。「識別情報変動開始条件」とは、例えば、第一調整モードにおいては、当該識別情報や他の識別情報が変動中でないとか特別遊技中でないことを指し、第二調整モードにおいては、当該識別情報が変動中でないとか特別遊技中でないことを指す。「所定条件下」とは、例えば、保留情報記憶手段に記憶されている変動待機状態数が上限値に達していない場合をいう。
【発明の効果】
【００１１】
本発明（１）によれば、第一識別情報及び第二識別情報の両方が変動中である場合には、いずれかの識別情報の変動が停止するまで第２調整モードから第１調整モードへのモード切替を待機するという極めてシンプルな構成を採っているので、遊技性の複雑化を回避できると共に、モード切替を円滑に実行できるという効果も奏する。
【００１２】
本発明（２）によれば、前記効果に加え、第１調整モードから第２調整モードへのモード切替を行うに際しては待機させずにただちに実行するように構成されているので、無駄に待機させることに基づく処理の複雑化を回避できるという効果を奏する。
【００１３】
本発明（３）によれば、前記効果に加え、第二調整モードから前記第一調整モードに切替える際に第１遊技側及び第２遊技側での保留解除順序を決定するので、第２調整モードから第１調整モードへのモード切替をより円滑に実行できるという効果を奏する。
【発明を実施するための最良の形態】
【００１４】
以下、本発明の最良形態（各種変更例を含む）を説明する。尚、以下の最良形態は、従来の第１種パチンコ遊技機を二つ混在させたような機種である（便宜上、第１種第１種複合機という）が、これに限定されず、例えば他の遊技機（例えば、従来の第１種の機能を二つと従来の第２種の機能を一つ有する遊技機）に応用された場合も本発明の範囲内である。尚、あくまで最良の形態であり、各手段が存在する場所や機能等、各種処理に関しての各ステップの順序、フラグのオン・オフのタイミング、各ステップの処理を担う手段名等に関し、以下の態様に限定されるものではない。
【００１５】
ここで、以下で説明する本最良形態及び第１乃至第８変更例は、いずれも、所定条件を充足した場合に、擬似確率変動遊技状態である第２調整モードに移行することを特徴とする。まず、本最良形態は、第１遊技の特別図柄の保留球数と第２遊技の特別図柄の保留球数が所定条件を充足した場合に擬似確率変動遊技状態に移行するタイプである。また、第１変更例は、変動態様として特定態様（例えば特定のリーチ態様）が選択された場合に擬似確率変動遊技状態に移行するタイプである。第２変更例は、特別図柄の変動回数が所定回数に達した場合に擬似確率変動遊技状態に移行するタイプである。第３変更例は、停止図柄として特定図柄（例えば、所定の当たり図柄や所定のハズレ図柄）が選択された場合に擬似確率変動遊技状態に移行するタイプである。第４変更例は、遊技状態が移行（例えば確率変動状態に移行）した場合に擬似確率変動遊技状態に移行するタイプである。第５変更例は、第１遊技の特別図柄の保留球数と第２遊技の特別図柄の保留球数の合計が所定個数以上である場合に擬似確率変動遊技状態に移行するタイプである｛本最良形態との相違は、本最良形態が所定条件の決定処理を行うのに対して当該変更例は初めから所定条件が固定されている点である（保留合計数Ｖｅｒ）｝。第６変更例は、第１遊技の特別図柄の保留球数と第２遊技の特別図柄の保留球数が所定条件を充足した場合に擬似確率変動遊技状態に移行するタイプである｛本最良形態との相違は、本最良形態が所定条件の決定処理を行うのに対して当該変更例は初めから所定条件が固定されている点である（各保留数＋保留合計数Ｖｅｒ）｝。第７変更例は、所定時間に到達した場合に擬似確率変動遊技状態に移行するタイプである。そして、第８変更例は、一般入賞口に所定個数入賞した場合に擬似確率変動遊技状態に移行するタイプである。
【００１６】
更に、本最良形態及び変更例に関しては、複数の特別遊技が同時に実行されることを回避するために、後述する「強制一時停止タイプ」（タイプＡ）及び「強制ハズレ図柄差換タイプ」（タイプＢ）が夫々存在する。以下、まず、本最良形態のタイプＡについて説明する。
【００１７】
まず、図１を参照しながら、本最良形態（タイプＡ）に係るパチンコ遊技機の前面側の基本構造を説明する。パチンコ遊技機は、主に遊技機枠と遊技盤で構成される。以下、これらを順に説明する。
【００１８】
はじめに、パチンコ遊技機の遊技機枠は、外枠１０２、前枠１０４、透明板１０６、扉１０８、上球皿１１０、下球皿１１２及び発射ハンドル１１６を含む。まず、外枠１０２は、パチンコ遊技機を設置すべき位置に固定するための枠体である。前枠１０４は、外枠１０２の開口部分に整合する枠体であり、図示しないヒンジ機構を介して外枠１０２に開閉可能に取り付けられる。前枠１０４は、遊技球を発射する機構、遊技盤を着脱可能に収容させるための機構、遊技球を誘導又は回収するための機構等を含む。透明板１０６は、ガラス等により形成され、扉１０８により支持される。扉１０８は、図示しないヒンジ機構を介して前枠１０４に開閉可能に取り付けられる。上球皿１１０は、遊技球の貯留、発射レールへの遊技球の送り出し、下球皿１１２への遊技球の抜き取り等の機構を有する。下球皿１１２は、遊技球の貯留、抜き取り等の機構を有する。また、上球皿１１０と下球皿１１２の間にはスピーカ１１４が設けられており、遊技状態等に応じた効果音が出力される。
【００１９】
次に、遊技盤は、外レール１２２と内レール１２４とにより区画された遊技領域１２０が形成されている。そして、当該遊技領域１２０には、図示しない複数の遊技釘及び風車等の機構や各種一般入賞口の他、第１特図始動口２１１０、第２特図始動口２２１０、普図入賞口２３１０、第１大入賞口２１２０、第２大入賞口２２２０、第１特別図柄表示装置２１３０、第２特別図柄表示装置２２３０、第１演出表示装置２１４０、第２演出表示装置２２４０、普通図柄表示装置２３２０、センター飾り１９２及びアウト口１４２が設置されている。以下、各要素を順番に詳述する。
【００２０】
まず、第１特図始動口２１１０は、第１遊技に対応する始動入賞口として設置されている。具体的構成としては、第１特図始動口２１１０は、第１入球検出装置２１１１と、第１電動役物２１１２と、第１電動役物２１１２を開閉させるための第１電動役物ソレノイド１３２とを備える。ここで、第１入球検出装置２１１１は、第１特図始動口２１１０への遊技球の入球を検出するセンサであり、入球時にその入球を示す第１特図始動口入球情報を生成する。次に、第１電動役物２１１２は、第１特図始動口２１１０に遊技球が入賞し得る通常状態と当該通常状態よりも遊技球が入賞し易い開放状態に可変する。
【００２１】
次に、第２特図始動口２２１０は、第２遊技に対応する始動入賞口として設置されている。具体的構成としては、第２特図始動口２２１０は、第２入球検出装置２２１１を備える。ここで、第２入球検出装置２２１１は、第２特図始動口２２１０への遊技球の入球を検出するセンサであり、入球時にその入球を示す第２特図始動口入球情報を生成する。
【００２２】
次に、普図入賞口２３１０は、入球検出装置２３１１を備える。ここで、入球検出装置２３１１は、普図入賞口２３１０への遊技球の入球を検出するセンサであり、入球時にその入球を示す普図始動口入球情報を生成する。尚、普図入賞口２３１０への遊技球の入球は、第１特図始動口２１１０の第１電動役物２１１２を拡開させるための抽選の契機となる。
【００２３】
次に、第１大入賞口２１２０（第２大入賞口２２２０）は、第１特別図柄（第２特別図柄）が所定態様で停止した場合、「大当たり」として開状態となる、横長方形状を成しアウト口１４２の左上方（右上方）に位置した、第１遊技（第２遊技）に対応した入賞口である。具体的構成としては、第１大入賞口２１２０（第２大入賞口２２２０）は、遊技球の入球を検出するための第１入球検出装置２１２１（第２入球検出装置２２２１）と、第１電動役物２１２２（第２電動役物２２２２）と、第１電動役物２１２２（第２電動役物２２２２）を開閉させるための大入賞口ソレノイド２３３０（大入賞口ソレノイド１２３３０）とを備える。ここで、第１入球検出装置２１２１（第２入球検出装置２２２１）は、第１大入賞口２１２０（第２大入賞口２２２０）への遊技球の入球を検出するセンサであり、入球時にその入球を示す第１大入賞口入球情報（第２大入賞口入球情報）を生成する。第１電動役物２１２２（第２電動役物２２２２）は、第１大入賞口２１２０（第２大入賞口２２２０）に遊技球が入賞不能又は入賞困難な通常状態と遊技球が入賞し易い開放状態に第１大入賞口２１２０（第２大入賞口２２２０）を可変させる。
【００２４】
次に、第１特別図柄表示装置２１３０（第２特別図柄表示装置２２３０）は、第１遊技（第２遊技）に対応する第１特別図柄（第２特別図柄）の変動表示及び停止表示を行う。具体的構成としては、第１特別図柄表示装置２１３０（第２特別図柄表示装置２２３０）は、第１特図表示部２１３１（第２特図表示部２２３１）と、第１特図保留表示部２１３２（第２特図保留表示部２２３２）とを備える。ここで、第１特図保留表示部２１３２（第２特図保留表示部２２３２）は、４個のランプから構成され、当該ランプの点灯個数が、第１遊技（第２遊技）に係る乱数の保留数（実行されていない特別図柄の変動数）に相当する。尚、第１特別図柄表示装置２１３０（第２特別図柄表示装置２２３０）は、例えば７セグメントＬＥＤで構成され、第１特別図柄（第２特別図柄）は、「０」〜「９」の１０種類の数字で表示される。
【００２５】
尚、第１特別図柄（第２特別図柄）は必ずしも演出的な役割を持つ必要が無いため、本最良形態では、第１特別図柄表示装置２１３０（第２特別図柄表示装置２２３０）の大きさは、目立たない程度に設定されている。しかしながら、第１特別図柄（第２特別図柄）自体に演出的な役割を持たせて第１装飾図柄（第２装飾図柄）を表示させないような手法を採用する場合には、後述する第１演出表示装置２１４０（第２演出表示装置２２４０）のような液晶ディスプレーに、第１特別図柄（第２特別図柄）を表示させるように構成してもよい。
【００２６】
次に、第１演出表示装置２１４０（第２演出表示装置２２４０）は、主として、第１特別図柄（第２特別図柄）と連動して変動・停止する第１装飾図柄（第２装飾図柄）を含む演出画像の変動表示及び停止表示が行われる。具体的構成としては、第１演出表示装置２１４０（第２演出表示装置２２４０）は、第１装図表示部２１４１（第２装図表示部２２４１）と、第１装図保留表示部２１４２（第２装図保留表示部２２４２）とを備える。ここで、第１装図表示部２１４１（第２装図表示部２２４１）は、例えば、スロットマシンのゲームを模した複数列の第１装飾図柄（第２装飾図柄）変動の動画像を画面の中央領域に表示する。尚、第１演出表示装置２１４０（第２演出表示装置２２４０）は、本最良形態では液晶ディスプレーで構成されているが、機械式のドラムやＬＥＤ等の他の表示手段で構成されていてもよい。次に、第１装図保留表示部２１４２（第２装図保留表示部２２４２）は、４個のランプから構成され、当該ランプは、第１特別図柄（第２特別図柄）の保留ランプと連動している。尚、第１演出表示装置２１４０と第２演出表示装置２２４０は、夫々の背景に対照的な色を施して視覚的に区別させてもよい。
【００２７】
次に、普通図柄表示装置２３２０は、普通図柄の変動表示及び停止表示が行われる。具体的構成としては、普通図柄表示装置２３２０は、普図表示部２３２１と、普図保留表示部２３２２とを備える。ここで、普図保留表示部２３２２は、４個のランプから構成され、当該ランプの点灯個数が、普通図柄変動の保留数（実行されていない普通図柄変動の数）に相当する。
【００２８】
最後に、センター飾り１９２は、第１演出表示装置２１４０（第２演出表示装置２２４０）の周囲に設置され、遊技球の流路、第１演出表示装置２１４０（第２演出表示装置２２４０）の保護、装飾等の機能を有する。また、遊技効果ランプ１９０は、遊技領域１２０又は遊技領域外に設けられ、点滅等することで演出の役割を果たす。
【００２９】
次に、図２を参照しながら、パチンコ遊技機の背面側における基本構造を説明する。パチンコ遊技機は、パチンコ遊技機の全体動作を制御し、特に第１特図始動口２１１０（第２特図始動口２２１０）へ入球したときの抽選等、遊技動作全般の制御（即ち、遊技者の利益と直接関係する制御）を行う主制御装置１０００と、遊技内容に興趣性を付与する第１装図表示部２１４１（第２装図表示部２２４１）上での各種演出に係る表示制御を行う第１演出表示制御手段２１５０｛第２演出表示制御手段２２５０｝と、遊技の興趣性を高める演出が表示される第１演出表示装置２１４０及び第２演出表示装置２２４０と、賞球タンク２１２、賞球レール２１４及び各入賞口への入賞に応じて賞球タンク２１２から供給される遊技球を上球皿１１０へ払い出す払出ユニット２１６等を備える賞球払出機構（セット基盤）２１０と、払出ユニット２１６による払出動作を制御する賞球払出装置３０００と、上球皿１１０の遊技球（貯留球）を遊技領域１２０へ１球ずつ発射する発射装置２３２と、発射装置２３２の発射動作を制御する発射制御基板２３０と、パチンコ遊技機の各部へ電力を供給する電源ユニット２９０と、パチンコ遊技機の電源をオンオフするスイッチである電源スイッチ２９２等が、前枠１０４裏面（遊技側と反対側）に設けられている。
【００３０】
次に、図３のブロック図を参照しながら、本最良形態（タイプＡ）に係るパチンコ遊技機の各種機能について説明する。尚、図中の点線囲みに係る手段は、本最良形態のタイプＢ・変更例に係るものであるので、これらについては後述する。はじめに、主制御装置１０００は、遊技に係る遊技周辺機器２０００と、主制御装置１０００からの払出指示に基づき所定数の賞球の払出制御を行う賞球払出装置３０００と情報伝達可能に接続されている。その他、図示しないが、各種遊技効果ランプ１９０（例えばサイドランプ）やスピーカ１１４等とも電気的に接続されている。尚、主制御装置１０００は、ハードウエア的にはデータやプログラムを格納するＲＯＭやＲＡＭ、演算処理に用いるＣＰＵ等の素子等から構成される。尚、以下で主制御装置１０００に含まれるとする各手段を周辺機器（例えば、遊技周辺機器２０００）に搭載される形で構成してもよい。例えば、本最良形態では、主制御装置１０００に払出制御機能を持たせているが、例えば賞球払出装置３０００内に持たせるように構成してもよい。同様に、周辺機器（例えば、遊技周辺機器２０００）に含まれるとする各手段を主制御装置１０００に搭載される形で構成してもよい。以下、上記各手段（装置）の詳細を説明する。
【００３１】
まず、主制御装置１０００は、第１遊技・第２遊技・補助遊技・一般遊技に関する主たる制御を司る遊技制御手段１１００と、第１遊技と第２遊技との調整を行なう遊技間調整手段１２００と、遊技周辺機器２０００側に各種遊技情報｛例えば、停止図柄情報、停止図柄の属性情報（例えば、確率変動当たり、回数制限付き時間短縮当たり、通常当たり、ハズレ）、変動態様に関する情報（例えば、変動時間）、特別遊技の開始信号・状態情報・終了信号、保留情報等｝を送信するための情報送信手段１３００と、各種入賞口への遊技球の入賞に基づき所定の賞球の払出を行うように賞球払出装置３０００を制御する賞球払出決定手段１４００とを有している。
【００３２】
ここで、遊技制御手段１１００は、各入球口（始動口等）への遊技球の流入を判定するための入球判定手段１１１０と、各乱数の取得可否を判定し、当該判定結果に基づき当該各乱数を取得するための抽選手段１１２０と、変動表示中における各始動口への入球を保留球として上限個数以内で一時記憶するための保留制御手段１１３０と、各乱数に基づき、各図柄の停止図柄及び変動態様（変動時間等）を決定するための図柄内容決定手段１１４０と、各図柄の変動及び停止表示する制御を行うための表示制御手段１１５０と、第１特図始動口２１１０の第１電動役物２１１２の開閉決定に直接関連する各種処理を行うための電チュー開閉制御手段１１６０と、通常遊技よりも遊技者に有利な各特別遊技に関する制御を司る特別遊技制御手段１１７０と、第１遊技及び第２遊技に関し、現在の遊技状態をどの遊技状態に移行させるかの決定と、当該決定に基づき遊技状態を移行させる処理を行うための特定遊技制御手段１１８０と、現在の遊技状態｛例えば、特別遊技状態、電チュー開閉に関連した状態（易開放状態、非易開放状態）、特別図柄に係る停止図柄及び変動態様情報、各種フラグのオンオフ状況、特別遊技中の遊技状態（例えばラウンド数や入賞個数情報）｝等を一時記憶するための遊技状態一時記憶手段１１９０とを有している。以下、各手段について詳述する。
【００３３】
まず、入球判定手段１１１０は、第１特図始動口２１１０へ遊技球が入球したか否かを判定する第１特図始動口入球判定手段１１１１と、第２特図始動口２２１０へ遊技球が入球したか否かを判定する第２特図始動口入球判定手段１１１２と、普図入賞口２３１０に遊技球が流入したか否かを判定する普図始動口入球判定手段１１１３とを有している。
【００３４】
次に、抽選手段１１２０は、第１特図始動口２１１０への遊技球の入球に基づき遊技内容決定乱数（第１乱数）を取得するか否かを判定すると共に、判定結果に応じて当該乱数（例えば、当選乱数、変動態様決定乱数、特別図柄決定乱数等）を取得する第１特図抽選手段１１２１と、第２特図始動口２２１０への遊技球の入球に基づき遊技内容決定乱数（第２乱数）を取得するか否かを判定すると共に、判定結果に応じて当該乱数（例えば、当選乱数、変動態様決定乱数、特別図柄決定乱数等）を取得する第２特図抽選手段１１２２と、普通図柄当選乱数の取得の可否を判定し、当該判定結果に基づき当該乱数を取得するための普図抽選手段１１２３とを有している。
【００３５】
ここで、上記を含め本特許請求の範囲及び本明細書における「乱数」は、例えば、乱数の種類により割り振られた「０」〜「６５５３５」（当選乱数）や「０」〜「２５５」（変動態様決定乱数）といった所定範囲からランダムに選択された値である。また、乱数としては、数学的に発生させる乱数でなくともよく、ハードウエア乱数やソフトウエア乱数等により発生させる擬似乱数でもよい。例えば、乱数にある夫々の値の発現方式が、乱数の数列に沿って順々に値を発現させる方式（プラスワン方式）、乱数の数列の最終値が発現したときの次の値（初期値）を偶然性のある値によって定める方式（初期値更新方式）、これらの組み合わせ等を挙げることができる。
【００３６】
次に、保留制御手段１１３０は、取得した遊技内容決定乱数に基づく第１図柄変動が許可されていない場合に当該乱数を第１特図保留情報一時記憶手段１１３１ａに記憶するための第１特図保留手段１１３１と、取得した遊技内容決定乱数に基づく第２図柄変動が許可されていない場合に当該乱数を第２特図保留情報一時記憶手段１１３２ａに記憶するための第２特図保留手段１１３２と、普通図柄変動許可が下りていない状況で取得した普通図柄当選乱数を一時記憶するか否かを判定し、当該判定結果に基づき当該乱数を図柄変動許可が下りるまで保留するための普図保留手段１１３３とを有している。ここで、第１特図保留手段１１３１、第２特図保留手段１１３２及び普図保留手段１１３３は、最大４個まで記憶可能な、前記乱数を保留順序と結合した形で一時記憶するための、第１特図保留情報一時記憶手段１１３１ａ、第２特図保留情報一時記憶手段１１３２ａ及び普図保留情報一時記憶手段１１３３ａを夫々有している。
【００３７】
次に、図柄内容決定手段１１４０は、取得した遊技内容決定乱数（第１乱数）に基づき、第１特別図柄の停止図柄と変動態様（変動時間等）を決定する第１特図内容決定手段１１４１と、取得した遊技内容決定乱数（第２乱数）に基づき、第２特別図柄の停止図柄と変動態様（変動時間等）を決定する第２特図内容決定手段１１４２と、取得した普通図柄当選乱数に基づき普通図柄の停止図柄を決定する普図内容決定手段１１４３とを有している。
【００３８】
ここで、第１特図内容決定手段１１４１は、第１特別図柄に係る停止図柄や変動態様を決定する際に参照される第１特図内容決定用抽選テーブル１１４１ａを有しており、当該第１特図内容決定用抽選テーブル１１４１ａは、遊技状態に応じて異なる各種抽選テーブルを備えている（通常遊技→第１特図通常遊技状態用抽選テーブル１１４１ａ−１、確率変動遊技→第１特図確率変動遊技状態用抽選テーブル１１４１ａ−２、時間短縮遊技→第１特図時間短縮遊技状態用抽選テーブル１１４１ａ−３）。また、第２特図内容決定手段１１４２は、第２特別図柄に係る停止図柄や変動態様を決定する際に参照される第２特図内容決定用抽選テーブル１１４２ａを有しており、当該第２特図内容決定用抽選テーブル１１４２ａは、遊技状態に応じて異なる各種抽選テーブルを備えている（通常遊技→第２特図通常遊技状態用抽選テーブル１１４２ａ−１、確率変動遊技→第２特図確率変動遊技状態用抽選テーブル１１４２ａ−２、時間短縮遊技→第２特図時間短縮遊技状態用抽選テーブル１１４２ａ−３）。更に、普図内容決定手段１１４３は、普通図柄に係る停止図柄を決定する際に参照される普図内容決定用抽選テーブル１１４３ａを有しており、当該普図内容決定用抽選テーブル１１４３ａは、遊技状態に応じて異なる各種当選テーブルを備えている（通常遊技→普図通常用抽選テーブル１１４３ａ−１、確率変動遊技及び時間短縮遊技→普図時間短縮用抽選テーブル１１４３ａ−２）。
【００３９】
尚、本最良形態において、上記における第１特図内容決定手段１１４１が有する抽選テーブル（第１特図内容決定用抽選テーブル１１４１ａ）と第２特図内容決定手段１１４２が有する抽選テーブル（第２特図内容決定用抽選テーブル１１４２ａ）は、実質的に同等の特徴を有する。即ち、大当たりの抽選確率や選択される変動態様に係る変動時間は、基本的には同等である。また、図示しないが、上記における第１特図内容決定用抽選テーブル１１４１ａの各抽選テーブル（第１特図通常遊技状態用抽選テーブル１１４１ａ−１、第１特図確率変動遊技状態用抽選テーブル１１４１ａ−２、第１特図時間短縮遊技状態用抽選テーブル１１４１ａ−３）及び第２特図内容決定用抽選テーブル１１４２ａの各抽選テーブル（第２特図通常遊技状態用抽選テーブル１１４２ａ−１、第２特図確率変動遊技状態用抽選テーブル１１４２ａ−２、第２特図時間短縮遊技状態用抽選テーブル１１４２ａ−３）は、変動態様を決定するに際し、夫々が複数の抽選テーブルを有しており、所定条件を充足した場合（例えば保留球が所定数以上）では、短い変動態様が選択され易い抽選テーブルが選択され、他方、所定条件を充足しない場合（例えば保留球が所定数未満）では、長い変動態様が選択され易い抽選テーブルが選択されるように構成されている。尚、本形態では、第１特別図柄に関する抽選テーブルと第２特別図柄に関する抽選テーブルとを別々のものとして構成したが、第１特別図柄に関する抽選テーブルと第２特別図柄に関する抽選テーブルとを共通のものとして構成してもよい。
【００４０】
次に、表示制御手段１１５０は、第１特別図柄表示装置２１３０の第１特図表示部２１３１上で、所定時間第１特別図柄を変動させた後に停止表示する制御を行う第１特図制御手段１１５１と、第２特別図柄表示装置２２３０の第２特図表示部２２３１上で、所定時間第２特別図柄を変動させた後に停止表示する制御を行う第２特図制御手段１１５２と、普通図柄表示装置２３２０の普図表示部２３２１上で、所定時間普通図柄を変動させた後に停止表示する制御を行う普図制御手段１１５３とを有している。
【００４１】
ここで、第１特図制御手段１１５１は、前記第１特図内容決定手段１１４１により決定された変動態様に係る変動時間を管理するための第１特図変動時間管理手段１１５１ａを更に有している。また、第１特図変動時間管理手段１１５１ａは、ゼロクリア可能な第１特図変動管理用タイマ１１５１ａ−１（デクリメントカウンタ）を更に有している。次に、第２特図制御手段１１５２は、前記第２特図内容決定手段１１４２により決定された変動態様に係る変動時間を管理するための第２特図変動時間管理手段１１５２ａを更に有している。また、第２特図変動時間管理手段１１５２ａは、ゼロクリア可能な第２特図変動管理用タイマ１１５２ａ−１（デクリメントカウンタ）を更に有している。更に、普図制御手段１１５３は、普通図柄表示装置２３２０の普図表示部２３２１上での普通図柄の変動時間を管理するための普図変動時間管理手段１１５３ａを有している。また、普図変動時間管理手段１１５３ａは、時間を計測可能な普図変動管理用タイマ１１５３ａ−１を更に備えている。
【００４２】
次に、電チュー開閉制御手段１１６０は、第１特図始動口２１１０の第１電動役物２１１２を開閉する処理を行うための条件を充足しているか否かを判定するための条件判定手段１１６１と、第１特図始動口２１１０の第１電動役物２１１２の駆動（開放）時間を計測する開放タイマ１１６２とを有している。
【００４３】
次に、特別遊技制御手段１１７０は、停止した第１特別図柄が所定態様であるか否かの判定を行うと共に、当たりに当選しており（当たりフラグが発生しており）、かつ、所定態様である場合には、第１大入賞口２１２０を所定条件で開状態にするという第１特別遊技を実行するための第１特別遊技制御手段１１７１と、停止した第２特別図柄が所定態様であるか否かの判定を行うと共に、当たりに当選しており（当たりフラグが発生しており）、かつ、所定態様である場合には、第２大入賞口２２２０を所定条件で開状態にするという第２特別遊技を実行するための第２特別遊技制御手段１１７２とを有している。
【００４４】
ここで、第１特別遊技制御手段１１７１は、第１特別遊技に移行するための条件を充足しているか否かを判定する第１条件判定手段１１７１ａと、前記条件を充足している場合に、第１特別遊技を実行するための第１特別遊技実行手段１１７１ｂと、第１特別遊技に関する各種処理の時間管理を行うための第１特別遊技時間管理手段１１７１ｃとを有している。また、第１特別遊技時間管理手段１１７１ｃは、時間を計測可能な第１特別遊技用タイマ１１７１ｃ−１を更に有している。
【００４５】
また、第２特別遊技制御手段１１７２は、第２特別遊技に移行するための条件を充足しているか否かを判定する第２条件判定手段１１７２ａと、前記条件を充足している場合に、第２特別遊技を実行するための第２特別遊技実行手段１１７２ｂと、第２特別遊技に関する各種処理の時間管理を行うための第２特別遊技時間管理手段１１７２ｃとを有している。また、第２特別遊技時間管理手段１１７２ｃは、時間を計測可能な第２特別遊技用タイマ１１７２ｃ−１を更に有している。
【００４６】
次に、特定遊技制御手段１１８０は、特定遊技状態の終了条件を充足しているか否かを判定する特定遊技終了条件判定手段１１８１を有している。ここで、特定遊技終了条件判定手段１１８１は、時短回数をカウント可能な時短回数カウンタ１１８１ａを更に有している。ここで、本最良形態においては、時短回数は１００回であり、当該時短中には、非時短中と比較して、第１特別図柄及び第２特別図柄の変動時間が相対的に短縮される（時間短縮機能）。更に、普通図柄の変動時間も相対的に短縮されると共に、第１特図始動口２１１０の第１電動役物２１１２の開放延長時間が相対的に延長される（開放時間延長機能）。また、本最良形態における時短は、第１特別図柄の変動回数と第２特別図柄の変動回数の合計値が１００回を超えた場合に終了する。即ち、時短回数は、第１特別図柄及び第２特別図柄の変動（停止）毎に減算される。尚、上記の特定遊技終了条件判定手段１１８１は、例えば、回数制限付きの確率変動遊技において終了回数に到達したか否かを判定する機能を有していたり（回数制限付確率変動遊技機能を有するパチンコ遊技機の場合）、図柄変動の度に所定確率で特定遊技（例えば確率変動遊技や時間短縮遊技）から通常遊技への移行抽選を行う機能を有していてもよい（転落抽選機能を有するパチンコ遊技機の場合）。
【００４７】
次に、遊技状態一時記憶手段１１９０は、第１遊技における現在の遊技状態を一時記憶するための第１遊技状態一時記憶手段１１９１と、第２遊技における現在の遊技状態を一時記憶するための第２遊技状態一時記憶手段１１９２と、補助遊技における現在の遊技状態を一時記憶するための補助遊技状態一時記憶手段１１９３と、その他一般遊技における現在の遊技状態を一時記憶するための一般遊技状態一時記憶手段１１９４とを有している。
【００４８】
ここで、第１遊技状態一時記憶手段１１９１は、第１遊技に関する各種遊技状態における各種フラグのオンオフ情報を一時記憶するための第１フラグ一時記憶手段１１９１ａと、現在変動中の第１特別図柄（変動開始条件が成立した第１特別図柄）に係る停止図柄及び変動態様情報を一時記憶するための第１特図情報一時記憶手段１１９１ｂと、第１特別遊技に関する情報（ラウンド数、任意のラウンドにおける遊技球の入賞個数等）を一時記憶するための第１特別遊技関連情報一時記憶手段１１９１ｃとを有している。
【００４９】
また、第２遊技状態一時記憶手段１１９２は、第２遊技に関する各種遊技状態における各種フラグのオンオフ情報を一時記憶するための第２フラグ一時記憶手段１１９２ａと、現在変動中の第２特別図柄（変動開始条件が成立した第２特別図柄）に係る停止図柄及び変動態様情報を一時記憶するための第２特図情報一時記憶手段１１９２ｂと、第２特別遊技に関する情報（ラウンド数、任意のラウンドにおける遊技球の入賞個数等）を一時記憶するための第２特別遊技関連情報一時記憶手段１１９２ｃとを有している。
【００５０】
また、補助遊技状態一時記憶手段１１９３は、補助遊技に関する情報（例えば、普通図柄当選フラグ・開放延長フラグ・時間短縮フラグ等の各種フラグのオンオフ情報）を一時記憶するための補助遊技関連情報一時記憶手段１１９３ａと、現在変動中の普通図柄（変動開始条件が成立した普通図柄）に係る停止図柄等の情報を一時記憶するための普図情報一時記憶手段１１９３ｂとを有している。
【００５１】
次に、遊技間調整手段１２００は、各種一時記憶手段（第１特図保留情報一時記憶手段１１３１ａ、第２特図保留情報一時記憶手段１１３２ａ、普図保留情報一時記憶手段１１３３ａ、遊技状態一時記憶手段１１９０）を参照することにより、現在の遊技状態を逐次確認する遊技状態確認手段１２１０と、第１遊技及び第２遊技の一方が特別遊技に移行した際に、他方の特別遊技の移行を回避するための作動回避制御手段１２２０と、各調整モードの実行処理や調整モードの切替処理等を実行するための調整モード制御手段１２３０とを有している。
【００５２】
ここで、遊技状態確認手段１２１０は、第１調整モードにおける、第１特別図柄に係る保留と第２特別図柄に係る保留の解除順序を記憶するための保留順序一時記憶手段１２１１を更に有する。
【００５３】
また、作動回避制御手段１２２０は、第１遊技及び第２遊技の一方が特別遊技に移行したか否かを判定するための作動回避判定手段１２２１と、作動回避条件を充足した場合に作動回避処理を実行するための作動回避実行手段１２２２とを備えている。
【００５４】
ここで、作動回避実行手段１２２２は、第１遊技及び第２遊技の一方が特別遊技に移行した場合、当該特別遊技の間、他方の遊技に係る特別図柄の変動を禁止するための特図変動禁止手段１２２２ａと、第１遊技及び第２遊技の一方が特別遊技に移行した場合、当該特別遊技の間、他方の遊技に係る特別図柄の変動を一時停止するための特図変動タイマ一時停止手段１２２２ｂとを有している。
【００５５】
また、調整モード制御手段１２３０は、第１調整モード下で図柄変動が許可された場合、保留順序一時記憶手段１２１１を参照して、第１特別図柄と第２特別図柄のいずれを変動させるかを判定する直列モード図柄変動タイミング判定手段１２３１と、第１調整モードと第２調整モードとの切替条件を充足しているか否かを判定するための切替条件充足判定手段１２３２と、調整モード制御に関する情報を一時記憶するための調整モード関連情報一時記憶手段１２３３とを更に有している。
【００５６】
次に、遊技周辺機器２０００について説明する。尚、一部の周辺機器については既に詳細構成を述べたので、残る構成について簡潔に説明する。まず、遊技周辺機器２０００は、第１遊技側の周辺機器である第１遊技周辺機器２１００と、第２遊技側の周辺機器である第２遊技周辺機器２２００と、補助遊技に関する補助遊技周辺機器２３００とを有している。以下、これらの周辺機器を順番に説明する。
【００５７】
まず、第１遊技周辺機器２１００は、第１特別遊技移行の契機となる第１特図始動口２１１０と、通常遊技の際には閉状態にあり、第１特別遊技の際には所定条件下で開状態となる第１大入賞口２１２０と、第１特別図柄の停止表示及び変動表示が可能な第１特別図柄表示装置２１３０と、第１装飾図柄の停止表示及び変動表示や特別遊技中の遊技進行状況を示す表示を含め、第１演出に係る表示を行う第１演出表示装置２１４０と、第１演出に係る一切の表示制御を司る第１演出表示制御手段２１５０とを有している。尚、第１演出は、第１特別図柄の変動と時間的に同期の取れた形での第１装飾図柄の変動を含め、遊技の結果に影響を与えない情報のみの表示に係るものである。
【００５８】
ここで、第１演出表示制御手段２１５０は、主制御装置１０００側からの各種情報を受信するための第１表示情報受信手段２１５１と、主として、主制御装置１０００側からの前記情報に基づき、第１演出表示装置２１４０での演出表示制御を行う第１表示制御手段２１５２とを有している。以下、上記各手段を詳述する。
【００５９】
まず、第１表示情報受信手段２１５１は、主制御装置１０００側からの第１遊技に関する図柄情報を一時記憶するための第１メイン側情報一時記憶手段２１５１ａを有している。尚、第１メイン側情報一時記憶手段２１５１ａに一時記憶された図柄情報は、以下で説明する各処理において、後述の各種手段により必要に応じ適宜参照される。
【００６０】
また、第１表示制御手段２１５２は、第１演出表示装置２１４０の第１装図表示部２１４１上での第１装飾図柄の変動表示や停止表示に関する制御を司る第１装飾図柄表示制御手段２１５２ａと、第１演出表示装置２１４０の第１装図保留表示部２１４２上での保留情報の表示処理に関する一切の制御を司る第１装図保留情報表示制御手段２１５２ｂとを有している。
【００６１】
ここで、第１装飾図柄表示制御手段２１５２ａは、第１メイン側情報一時記憶手段２１５１ａ内に一時記憶された主制御装置１０００側からの図柄情報に基づき、第１装飾図柄の停止図柄と変動態様を決定するための第１装図表示内容決定手段２１５２ａ−１と、第１装飾図柄や第１装飾図柄の変動態様に関するデータを記憶するための第１装図変動態様記憶手段２１５２ａ−２とを更に有している。ここで、第１装図表示内容決定手段２１５２ａ−１は、第１装飾図柄の変動態様を決定する際に参照するための第１装図変動内容決定用抽選テーブル２１５２ａ−１−１を更に有している。
【００６２】
また、第１装図保留情報表示制御手段２１５２ｂは、現在の保留球数を一時記憶するための第１装図保留情報一時記憶手段２１５２ｂ−１を更に有している。
【００６３】
尚、第１演出表示制御手段２１５０は、その他にも、遊技効果ランプ１９０の点灯及び消灯や、スピーカ１１４からの音声出力等の演出処理といった、画像表示以外の演出に係る一切の制御を更に制御する。また、本最良形態においては、第１演出表示制御手段２１５０が、装飾図柄、遊技ランプ及び音声の制御を一体的に行なうように構成しているが、機能的に別個の周辺機器として分離するように構成してもよい。この場合、当該周辺機器同士を基板対基板コネクタで接続するように構成してもよい。
【００６４】
次に、第２遊技周辺機器２２００は、第２特別遊技移行の契機となる第２特図始動口２２１０と、通常遊技の際には閉状態にあり、第２特別遊技の際には所定条件下で開状態となる第２大入賞口２２２０と、第２特別図柄の停止表示及び変動表示が可能な第２特別図柄表示装置２２３０と、第２装飾図柄の停止表示及び変動表示や特別遊技中の遊技進行状況を示す表示を含め、第２演出に係る表示を行う第２演出表示装置２２４０と、第２演出に係る一切の表示制御を司る第２演出表示制御手段２２５０とを有している。尚、第２演出は、第２特別図柄の変動と時間的に同期の取れた形での第２装飾図柄の変動を含め、遊技の結果に影響を与えない情報のみの表示に係るものである。
【００６５】
ここで、第２演出表示制御手段２２５０は、主制御装置１０００側からの各種情報を受信するための第２表示情報受信手段２２５１と、主として、主制御装置１０００側からの前記情報に基づき、第２演出表示装置２２４０での演出表示制御を行う第２表示制御手段２２５２とを有している。以下、上記各手段を詳述する。
【００６６】
まず、第２表示情報受信手段２２５１は、主制御装置１０００側からの第２遊技に関する図柄情報を一時記憶するための第２メイン側情報一時記憶手段２２５１ａを有している。尚、第２メイン側情報一時記憶手段２２５１ａに一時記憶された図柄情報は、以下で説明する各処理において、後述の各種手段により必要に応じ適宜参照される。
【００６７】
また、第２表示制御手段２２５２は、第２演出表示装置２２４０の第２装図表示部２２４１上での第２装飾図柄の変動表示や停止表示に関する制御を司る第２装飾図柄表示制御手段２２５２ａと、第２演出表示装置２２４０の第２装図保留表示部２２４２上での保留情報の表示処理に関する一切の制御を司る第２装図保留情報表示制御手段２２５２ｂとを有している。
【００６８】
ここで、第２装飾図柄表示制御手段２２５２ａは、第２メイン側情報一時記憶手段２２５１ａ内に一時記憶された主制御装置１０００側からの図柄情報に基づき、第２装飾図柄の停止図柄と変動態様を決定するための第２装図表示内容決定手段２２５２ａ−１と、第２装飾図柄や第２装飾図柄の変動態様に関するデータを記憶するための第２装図変動態様記憶手段２２５２ａ−２とを更に有している。ここで、第２装図表示内容決定手段２２５２ａ−１は、第２装飾図柄の変動態様を決定する際に参照するための第２装図変動内容決定用抽選テーブル２２５２ａ−１−１を更に有している。
【００６９】
次に、第２装図保留情報表示制御手段２２５２ｂは、現在の保留球数を一時記憶するための第２装図保留情報一時記憶手段２２５２ｂ−１を更に有している。
【００７０】
尚、第２演出表示制御手段２２５０は、その他にも、遊技効果ランプ１９０の点灯及び消灯や、スピーカ１１４からの音声出力等の演出処理といった、画像表示以外の演出に係る一切の制御を更に制御する。また、本最良形態においては、第２演出表示制御手段２２５０が、装飾図柄、遊技ランプ及び音声の制御を一体的に行なうように構成しているが、機能的に別個の周辺機器として分離するように構成してもよい。この場合、当該周辺機器同士を基板対基板コネクタで接続するように構成してもよい。尚、本最良形態においては、第１演出表示制御手段２１５０と第２演出表示制御手段２２５０とを機能的に分けたが、これらを一体として構成してもよい。
【００７１】
次に、補助遊技周辺機器２３００は、第１特図始動口２１１０の第１電動役物２１１２の開放の契機となる普図入賞口２３１０と、普通図柄の停止表示及び変動表示が可能な普通図柄表示装置２３２０とを有している。
【００７２】
尚、第１特別図柄表示装置２１３０、第２特別図柄表示装置２２３０及び普通図柄表示装置２３２０が、主制御装置１０００と情報伝達可能に接続されており、残る第１演出表示装置２１４０及び第２演出表示装置２２４０が、第１演出表示制御手段２１５０及び第２演出表示制御手段２２５０と夫々情報伝達可能に接続されている。即ち、第１特別図柄表示装置２１３０、第２特別図柄表示装置２２３０及び普通図柄表示装置２３２０は、主制御装置１０００により制御され、第１演出表示装置２１４０及び第２演出表示装置２２４０は、第１演出表示制御手段２１５０及び第２演出表示制御手段２２５０により夫々制御されることを意味する。尚、主制御装置１０００と片方向通信により制御される他の周辺機器を介して、別の周辺機器を制御するように構成してもよい。
【００７３】
次に、本最良形態（タイプＡ）に係る処理の流れを説明する。まず、図４は、主制御装置１０００が行う一般的な処理の流れを示したメインフローチャートである。図４に示すように、まず、ステップ１０で、主制御装置１０００は、第１特別遊技及び第２特別遊技移行に係る始動口（間接的に寄与する普図始動口も含む）への入賞に関する処理を行う入賞処理１０を実行する。次に、ステップ１２で、主制御装置１０００は、第１特別遊技中でも第２特別遊技中でもないか否か｛即ち、特別遊技関連フラグ（特別遊技移行許可フラグ、特別遊技実行フラグ）がオフであるか否か｝を判定する。ステップ１２でＹｅｓの場合、ステップ１４で、主制御装置１０００は、通常遊技制御処理を実行し、ステップ５０００に移行する。他方、ステップ１２でＮｏの場合、ステップ１６で、主制御装置１０００は、特別遊技制御処理を実行し、ステップ５０００に移行する。そして、ステップ５０００で、主制御装置１０００（特に賞球払出決定手段１４００）は、遊技球が入賞した入賞口に基づき、賞球払出装置３０００を駆動して所定の賞球数の払出処理を行い、再びステップ１０に戻る。
【００７４】
次に、図５は、図４におけるステップ１０のサブルーチンに係る、入賞処理のフローチャートである。まず、ステップ１１００で、主制御装置１０００は、普通図柄当選乱数取得処理を実行する。そして、ステップ１３００で、主制御装置１０００は、特別遊技内容決定乱数取得処理を実行する。
【００７５】
次に、図６は、図５におけるステップ１１００のサブルーチンに係る、普通図柄当選乱数取得処理のフローチャートである。まず、ステップ１１０２で、普図始動口入球判定手段１１１３は、普図入賞口２３１０に遊技球が入球（流入、通過）したか否かを判定する。ステップ１１０２でＹｅｓの場合、ステップ１１０４で、普図抽選手段１１２３は、普図保留情報一時記憶手段１１３３ａを参照し、保留球が上限（例えば４個）でないか否かを判定する。ステップ１１０４でＹｅｓの場合、ステップ１１０６で、普図抽選手段１１２３は、普通図柄当選乱数を取得する。次に、ステップ１１０８で、普図保留手段１１３３は、何個目の保留であるかという情報と共に、当該乱数を普図保留情報一時記憶手段１１３３ａにセットする形で保留球を１加算し、次の処理（特別遊技内容決定乱数取得処理１３００）に移行する。尚、ステップ１１０２及びステップ１１０４でＮｏの場合も、次の処理（特別遊技内容決定乱数取得処理１３００）に移行する。
【００７６】
次に、図７は、図５におけるステップ１３００のサブルーチンに係る、特別遊技内容決定乱数取得処理フローチャートである。まず、ステップ１３０２で、第１特図始動口入球判定手段１１１１は、第１特図始動口２１１０の第１入球検出装置２１１１から第１特図始動口入球情報を受信したか否かを判定する。ステップ１３０２でＹｅｓの場合、ステップ１３０４で、第１特図抽選手段１１２１は、第１特図保留情報一時記憶手段１１３１ａを参照し、保留球が上限（例えば４個）でないか否かを判定する。ステップ１３０４でＹｅｓの場合、ステップ１３０６で、第１特図抽選手段１１２１は、遊技内容決定乱数（第１乱数）を取得する。そして、ステップ１３０８で、遊技状態確認手段１２１０は、調整モード関連情報一時記憶手段１２３３を参照することにより、現在の遊技状態が第１調整モードであるか否かを確認する。ステップ１３０８でＹｅｓの場合、ステップ１３０９で、遊技間調整手段１２００は、第１特図保留情報一時記憶手段１１３１ａ及び第２特図保留情報一時記憶手段１１３２ａの保留数を踏まえ、これらの保留が解除された後に解除されるよう、第１特図保留情報一時記憶手段１１３１ａにリンク解除（入賞）順序を保留順序一時記憶手段１２１１に記憶する。例えば、第１特図保留情報一時記憶手段１１３１ａに３個保留されており第２特図保留情報一時記憶手段１１３２ａに２個保留されている状況で新たに第１特図始動口２１１０に入賞した場合には、当該入賞に対して「６番目」という入賞順序が保留順序一時記憶手段１２１１に記憶されることになる。他方、ステップ１３０８でＮｏの場合には、ステップ１３０９をスキップする。次に、ステップ１３１２で、第１特図保留手段１１３１は、当該遊技内容決定乱数を第１特図保留情報一時記憶手段１１３１ａに記憶する。次に、ステップ１３１４で、第２特図始動口入球判定手段１１１２は、第２特図始動口２２１０の第２入球検出装置２２１１から第２特図始動口入球情報を受信したか否かを判定する。ステップ１３１４でＹｅｓの場合、ステップ１３１６で、第２特図抽選手段１１２２は、第２特図保留情報一時記憶手段１１３２ａを参照し、保留球が上限（例えば４個）でないか否かを判定する。ステップ１３１６でＹｅｓの場合、ステップ１３１８で、第２特図抽選手段１１２２は、遊技内容決定乱数（第２乱数）を取得する。そして、ステップ１３２０で、遊技状態確認手段１２１０は、調整モード関連情報一時記憶手段１２３３を参照することにより、現在の遊技状態が第１調整モードであるか否かを確認する。ステップ１３２０でＹｅｓの場合、ステップ１３２１で、遊技間調整手段１２００は、第１特図保留情報一時記憶手段１１３１ａ及び第２特図保留情報一時記憶手段１１３２ａの保留数を踏まえ、これらの保留が解除された後に解除されるよう、保留順序一時記憶手段１２１１にリンク解除（入賞）順序を記憶する。例えば、第１特図保留情報一時記憶手段１１３１ａに３個保留されており第２特図保留情報一時記憶手段１１３２ａに２個保留されている状況で新たに第２特図始動口２２１０に入賞した場合には、当該入賞に対して「６番目」という入賞順序が保留順序一時記憶手段１２１１に記憶されることになる。他方、ステップ１３２０でＮｏの場合には、ステップ１３２１をスキップする。次に、ステップ１３２４で、第２特図保留手段１１３２は、当該遊技内容決定乱数を第２特図保留情報一時記憶手段１１３２ａに記憶し、次の処理（ステップ１２）に移行する。尚、ステップ１３０２及びステップ１３０４でＮｏの場合にはステップ１３１４に移行し、ステップ１３１４及びステップ１３１６でＮｏの場合には次の処理（ステップ１２）に移行する。
【００７７】
次に、図８は、図４におけるステップ１４のサブルーチンに係る、通常遊技制御処理のフローチャートである。まず、ステップ１６００で、主制御装置１０００は、後述する調整モード切替判定処理を実行する。次に、ステップ１７００で、主制御装置１０００は、後述する調整モード切替実行処理を実行する。次に、ステップ１００で、遊技状態確認手段１２１０は、調整モード関連情報一時記憶手段１２３３を参照することにより、現在の遊技状態が第１調整モードであるか否かを確認する。ステップ１００でＹｅｓの場合、ステップ１０２で、遊技状態確認手段１２１０は、第１遊技状態一時記憶手段１１９１及び第２遊技状態一時記憶手段１１９２を参照することにより、現在の遊技状態を確認すると共に、直列モード図柄変動タイミング判定手段１２３１は、当該確認情報を踏まえ、第１図柄の変動タイミングに到達したか否かを判定する。ステップ１０２でＹｅｓの場合、ステップ１４００（１）で、主制御装置１０００は、後述の第１特別図柄表示処理を実行し、ステップ１５００に移行する。他方、ステップ１０２でＮｏの場合、ステップ１４００（２）で、主制御装置１０００は、後述の第２特別図柄表示処理を実行し、ステップ１５００に移行する。
【００７８】
他方、ステップ１００でＮｏの場合、即ち、第２調整モードである場合には、ステップ１４００（３）で、主制御装置１０００は、後述の第１特別図柄表示処理を実行する。そして、ステップ１４００（４）で、主制御装置１０００は、後述の第２特別図柄表示処理を実行し、ステップ１５００に移行する。
【００７９】
次に、ステップ１５００で、主制御装置１０００は、後述の特別遊技作動条件判定処理を実行する。次に、ステップ１２００で、主制御装置１０００は、後述の電チュー駆動判定処理を実行し、次の処理（ステップ５０００の賞球払出処理）に移行する。
【００８０】
次に、図９は、図８におけるステップ１６００のサブルーチンに係る、本発明の特徴的な一処理である調整モード切替判定処理のフローチャートである。まず、ステップ１６０２で、切替条件充足判定手段１２３２は、第１特図情報一時記憶手段１１９１ｂ及び第２特図情報一時記憶手段１１９２ｂを参照し、いずれかの特別図柄が変動中であるか否かを判定する。ステップ１６０２でＹｅｓの場合、ステップ１６０４で、調整モード制御手段１２３０は、調整モード関連情報一時記憶手段１２３３を参照し、保留条件維持フラグがオフであるか否かを判定する。ここで、「保留条件維持フラグ」とは、以前に決定した保留条件が引き続き有効であることを意味するフラグである。ステップ１６０４でＹｅｓの場合、ステップ１６０６で、調整モード制御手段１２３０は、例えば抽選により保留条件を決定する。ここで、保留条件の一例を挙げると、（１）第１特別図柄及び第２特別図柄に係る保留球個数の合計が４個以上である、（２）第１特別図柄に係る保留球個数が１個以上である、及び、（３）第２特別図柄に係る保留球個数が３個以上である、のすべての条件を充足した場合である。次に、ステップ１６０８で、調整モード制御手段１２３０は、調整モード関連情報一時記憶手段１２３３中の保留条件維持フラグをオンにする。これにより、いずれの特別図柄も停止状態になるまで当該条件が維持される（後述のステップ１６２２参照）。次に、ステップ１６１０で、情報送信手段１３００は、サブ側に保留条件情報を送信し、ステップ１６１２に移行する。尚、当該情報を受信したサブ側では、後述するように、所定条件を充足した場合に当該条件情報を遊技者に報知する処理を行う。他方、ステップ１６０４でＮｏの場合、ステップ１６０６〜１６１０の処理をスキップし、ステップ１６１２に移行する。尚、本最良形態では、保留条件維持フラグをオフにするタイミングとして、すべての特別図柄が停止条件となった場合を例示したが、いずれか一方の特別図柄が停止状態となった場合にリセットするように構成してもよい。
【００８１】
次に、ステップ１６１２で、切替条件充足判定手段１２３２は、第１特図保留情報一時記憶手段１１３１ａ及び第２特図保留情報一時記憶手段１１３２ａを参照し、前記ステップ１６０６で決定した保留条件を充足しているか否かを判定する。ステップ１６１２でＹｅｓの場合、ステップ１６１４で、切替条件充足判定手段１２３２は、調整モード関連情報一時記憶手段１２３３を参照し、現在の調整モードが第１調整モードであるか否かを判定する。ステップ１６１４でＹｅｓの場合、ステップ１６１６で、調整モード制御手段１２３０は、第２調整モード切替実行フラグをオンにし、次の処理（ステップ１７００の調整モード切替実行処理）に移行する。他方、ステップ１６１２でＮｏの場合、ステップ１６１８で、切替条件充足判定手段１２３２は、調整モード関連情報一時記憶手段１２３３を参照し、現在の調整モードが第２調整モードであるか否かを判定する。ステップ１６１８でＹｅｓの場合、ステップ１６２０で、調整モード制御手段１２３０は、調整モード関連情報一時記憶手段１２３３中の第１調整モード切替実行フラグをオンにし、次の処理（ステップ１７００の調整モード切替実行処理）に移行する。
【００８２】
尚、ステップ１６０２でＮｏの場合、即ち、いずれの特別図柄も変動中でない場合、ステップ１６２２で、調整モード制御手段１２３０は、調整モード関連情報一時記憶手段１２３３中の保留条件維持フラグをオフにする。即ち、このタイミングで以前に決定した保留条件がリセットされることになり、再びいずれかの特別図柄が変動を開始した場合、新しい保留条件が決定されることになる。そして、ステップ１６２４で、情報送信手段１３００は、第１演出表示制御手段２１５０及び／又は第２演出表示制御手段２２５０側に、決定された保留条件がリセットされた旨の情報を送信し、次の処理（ステップ１７００の調整モード切替実行処理）に移行する。尚、ステップ１６１４及びステップ１６１８でＮｏの場合にも、次の処理（ステップ１７００の調整モード切替実行処理）に移行する。
【００８３】
次に、図１０は、図８におけるステップ１７００のサブルーチンに係る、調整モード切替実行処理のフローチャートである。まず、ステップ１７０４で、調整モード制御手段１２３０は、調整モード関連情報一時記憶手段１２３３を参照し、第１調整モード切替実行フラグがオンであるか否か、即ち、第２調整モード（並列：擬似確率変動遊技状態）から第１調整モード（直列：擬似通常遊技状態）に切り替えるか否かを判定する。ステップ１７０４でＹｅｓの場合、ステップ１７０５で、遊技状態確認手段１２１０は、第１特図変動管理用タイマ１１５１ａ−１及び第２特図変動管理用タイマ１１５２ａ−１を参照することにより、切替タイミング（いずれか一方の図柄変動が停止）に到達したか否かを判定する。ステップ１７０５でＹｅｓの場合、ステップ１７０６で、調整モード制御手段１２３０は、調整モード関連情報一時記憶手段１２３３中に記憶されていた調整モードを第１調整モードに書き換えることにより、調整モードを第１調整モードに切替える。そして、ステップ１７０８で、遊技状態確認手段１２１０が、第１特図保留情報一時記憶手段１１３１ａ及び第２特図保留情報一時記憶手段１１３２ａを参照することにより、夫々に記憶されている保留数情報を取得した後、調整モード制御手段１２３０が、前記保留数情報を踏まえてリンク解除順序をセットする（例えば機械的に交互に割り振る形でセットする）。次に、ステップ１７２０で、調整モード制御手段１２３０は、調整モード関連情報一時記憶手段１２３３中の第１調整モード切替実行フラグをオフにし、次の処理（ステップ１００）に移行する。
【００８４】
他方、ステップ１７０４でＮｏの場合、ステップ１７２２で、調整モード制御手段１２３０は、調整モード関連情報一時記憶手段１２３３を参照し、第２調整モード切替実行フラグがオンであるか否か、即ち、第１調整モード（直列：擬似通常遊技状態）から第２調整モード（並列：擬似確率変動遊技状態）に切り替えるか否かを判定する。ステップ１７２２でＹｅｓの場合、ステップ１７１０で、調整モード制御手段１２３０は、調整モード関連情報一時記憶手段１２３３中に記憶されていた調整モードを第２調整モードに書き換えることにより、調整モードを第２調整モードに切替える。そして、ステップ１７１２で、調整モード制御手段１２３０は、保留順序一時記憶手段１２１１に記憶されているリンク解除順序をリセットする。次に、ステップ１７２４で、調整モード制御手段１２３０は、調整モード関連情報一時記憶手段１２３３中の第２調整モード切替実行フラグをオフにし、次の処理（ステップ１００）に移行する。尚、ステップ１７０５及びステップ１７２２でＮｏの場合にも、次の処理（ステップ１００）に移行する。
【００８５】
次に、図１１は、図８におけるステップ１４００（１）｛ステップ１４００（２）｝のサブルーチンに係る、第一調整モード（直列：擬似通常遊技状態）における第１特別図柄表示処理（第２特別図柄表示処理）のフローチャートである。まず、ステップ１４０２で、第１特図内容決定手段１１４１（第２特図内容決定手段１１４２）は、変動開始条件が成立しているか否かを判定する。
【００８６】
ここで、この変動開始条件は、特別遊技中や図柄変動中でないことに加え、当該調整モード（第一調整モード）においては、調整モード制御手段１２３０からの図柄変動開始許可が下りていることが条件となる。即ち、調整モード制御手段１２３０が、保留順序一時記憶手段１２１１を参照し、今回の保留解除が第１特別図柄及び第２特別図柄のいずれに係るものであるかを確認し、当該確認情報に基づき、第１特図内容決定手段１１４１又は第２特図内容決定手段１１４２に変動開始許可コマンドを送信する。
【００８７】
ステップ１４０２でＹｅｓの場合、ステップ１４０４で、第１特図内容決定手段１１４１（第２特図内容決定手段１１４２）は、第１フラグ一時記憶手段１１９１ａ（第２フラグ一時記憶手段１１９２ａ）を参照して、確率変動フラグがオンであるか否かを判定する。ステップ１４０４でＹｅｓの場合、ステップ１４０６で、第１特図内容決定手段１１４１（第２特図内容決定手段１１４２）は、参照テーブルとして第１特図確率変動遊技状態用抽選テーブル１１４１ａ−２（第２特図確率変動遊技状態用抽選テーブル１１４２ａ−２）をセットし、ステップ１４１４に移行する。
【００８８】
他方、ステップ１４０４でＮｏの場合、ステップ１４０８で、第１特図内容決定手段１１４１（第２特図内容決定手段１１４２）は、第１フラグ一時記憶手段１１９１ａ（第２フラグ一時記憶手段１１９２ａ）を参照して、時間短縮フラグがオンであるか否かを判定する。ステップ１４０８でＹｅｓの場合、ステップ１４１０で、第１特図内容決定手段１１４１（第２特図内容決定手段１１４２）は、参照テーブルとして第１特図時間短縮遊技状態用抽選テーブル１１４１ａ−３（第２特図時間短縮遊技状態用抽選テーブル１１４２ａ−３）をセットし、ステップ１４１４に移行する。
【００８９】
他方、ステップ１４０８でＮｏの場合、ステップ１４１２で、第１特図内容決定手段１１４１（第２特図内容決定手段１１４２）は、参照テーブルとして第１特図通常遊技状態用抽選テーブル１１４１ａ−１（第２特図通常遊技状態用抽選テーブル１１４２ａ−１）をセットし、ステップ１４１４に移行する。
【００９０】
次に、ステップ１４１４で、第１特図内容決定手段１１４１（第２特図内容決定手段１１４２）は、第１特図保留情報一時記憶手段１１３１ａ（第２特図保留情報一時記憶手段１１３２ａ）に一時記憶されている、今回の図柄変動に係る遊技内容決定乱数を読み出す。そして、ステップ１４１６で、第１特図内容決定手段１１４１（第２特図内容決定手段１１４２）は、セットした各抽選テーブルを参照し、遊技内容決定乱数（例えば、当選乱数及び特別図柄決定乱数）に基づいて特別図柄に関する停止図柄を決定すると共に、遊技内容決定乱数（例えば、当選乱数及び変動態様決定乱数）に基づいて特別図柄の変動態様を決定し、これらを第１特図情報一時記憶手段１１９１ｂ（第２特図情報一時記憶手段１１９２ｂ）に一時記憶する。そして、ステップ１４１７で、遊技制御手段１１００は、抽選結果が当たりか否かを判定する。ステップ１４１７でＹｅｓの場合、ステップ１４１８で、遊技制御手段１１００は、第１フラグ一時記憶手段１１９１ａ（第２フラグ一時記憶手段１１９２ａ）中の当たりフラグをオンにする。他方、ステップ１４１７でＮｏの場合には、ステップ１４１８をスキップする。次に、ステップ１４１９で、情報送信手段１３００は、ステップ１４１６で決定した特別図柄に関する図柄情報（停止図柄情報、停止図柄の属性情報、変動態様情報等）及び現在の遊技状態を第１演出表示制御手段２１５０（第２演出表示制御手段２２５０）側に送信する。次に、ステップ１４２０で、第１特図変動時間管理手段１１５１ａ（第２特図変動時間管理手段１１５２ａ）が、所定時間（前記ステップ１４１６で決定した変動態様に係る変動時間）を第１特図変動管理用タイマ１１５１ａ−１（第２特図変動管理用タイマ１１５２ａ−１）にセットする。そして、ステップ１４２２で、第１特図制御手段１１５１（第２特図制御手段１１５２）は、第１特別図柄表示装置２１３０（第２特別図柄表示装置２２３０）の第１特図表示部２１３１（第２特図表示部２２３１）上で、第１特図情報一時記憶手段１１９１ｂ（第２特図情報一時記憶手段１１９２ｂ）に記憶された変動態様に従い、特別図柄の変動表示を開始する。次に、ステップ１４４６で、第１特図制御手段１１５１（第２特図制御手段１１５２）は、第１フラグ一時記憶手段１１９１ａ（第２フラグ一時記憶手段１１９２ａ）中の変動中フラグをオンする。そして、ステップ１４３４で、第１特図変動時間管理手段１１５１ａ（第２特図変動時間管理手段１１５２ａ）が、前記所定時間に到達したか否かを判定する。ここで、ステップ１４３４でＮｏの場合には、次の処理（ステップ１５００の特別遊技作動条件判定処理）に移行する。他方、ステップ１４３４でＹｅｓの場合、ステップ１４３６で、情報送信手段１３００は、所定時間に到達した旨のコマンドを第１演出表示制御手段２１５０（第２演出表示制御手段２２５０）側に送信する。次に、ステップ１４３８で、第１特図制御手段１１５１（第２特図制御手段１１５２）は、第１特別図柄表示装置２１３０（第２特別図柄表示装置２２３０）の第１特図表示部２１３１（第２特図表示部２２３１）上での特別図柄の変動表示を停止し、第１特図情報一時記憶手段１１９１ｂ（第２特図情報一時記憶手段１１９２ｂ）に記憶されている停止図柄を確定停止図柄として表示制御する。次に、ステップ１４４０で、第１特図制御手段１１５１（第２特図制御手段１１５２）は、第１フラグ一時記憶手段１１９１ａ（第２フラグ一時記憶手段１１９２ａ）中の変動中フラグをオフにする。そして、ステップ１４４２で、第１特図変動時間管理手段１１５１ａ（第２特図変動時間管理手段１１５２ａ）は、第１特図変動管理用タイマ１１５１ａ−１（第２特図変動管理用タイマ１１５２ａ−１）をリセットする。次に、ステップ１４５０で、主制御装置１０００は、後述の特定遊技終了判定処理を実行し、次の処理（ステップ１５００の特別遊技作動条件判定処理）に移行する。
【００９１】
尚、ステップ１４０２でＮｏの場合には、ステップ１４４４で、第１特図制御手段１１５１（第２特図制御手段１１５２）は、第１フラグ一時記憶手段１１９１ａ（第２フラグ一時記憶手段１１９２ａ）を参照し、変動中フラグがオンであるか否かを判定する。ステップ１４４４でＹｅｓの場合にはステップ１４３４に移行し、Ｎｏの場合には次の処理（ステップ１５００の特別遊技作動条件判定処理）に移行する。
【００９２】
次に、図１２は、図８におけるステップ１４００（３）｛ステップ１４００（４）｝のサブルーチンに係る、第二調整モード（並列：擬似確率変動遊技状態）における第１特別図柄表示処理（第２特別図柄表示処理）のフローチャートである。まず、ステップ１４０２Ａで、第１特図内容決定手段１１４１（第２特図内容決定手段１１４２）は、変動開始条件が成立しているか否かを判定する。
【００９３】
ここで、この変動開始条件は、特別遊技中でないことと、第１特別図柄（第２特別図柄）の変動開始に関しては第１特別図柄（第２特別図柄）の変動中でないことのみである。即ち、第１調整モードと異なり、第１特別図柄（第２特別図柄）の変動開始に際し、第２特別図柄（第１特別図柄）が変動中であることは変動開始制限条件にはならない。
【００９４】
次に、ステップ１４０２ＡでＹｅｓの場合、ステップ１４０４Ａで、第１特図内容決定手段１１４１（第２特図内容決定手段１１４２）は、第１フラグ一時記憶手段１１９１ａ（第２フラグ一時記憶手段１１９２ａ）を参照して、確率変動フラグがオンであるか否かを判定する。ステップ１４０４ＡでＹｅｓの場合、ステップ１４０６Ａで、第１特図内容決定手段１１４１（第２特図内容決定手段１１４２）は、参照テーブルとして第１特図確率変動遊技状態用抽選テーブル１１４１ａ−２（第２特図確率変動遊技状態用抽選テーブル１１４２ａ−２）をセットし、ステップ１４１４Ａに移行する。
【００９５】
他方、ステップ１４０４ＡでＮｏの場合、ステップ１４０８Ａで、第１特図内容決定手段１１４１（第２特図内容決定手段１１４２）は、第１フラグ一時記憶手段１１９１ａ（第２フラグ一時記憶手段１１９２ａ）を参照して、時間短縮フラグがオンであるか否かを判定する。ステップ１４０８ＡでＹｅｓの場合、ステップ１４１０Ａで、第１特図内容決定手段１１４１（第２特図内容決定手段１１４２）は、参照テーブルとして第１特図時間短縮遊技状態用抽選テーブル１１４１ａ−３（第２特図時間短縮遊技状態用抽選テーブル１１４２ａ−３）をセットし、ステップ１４１４Ａに移行する。
【００９６】
他方、ステップ１４０８ＡでＮｏの場合、ステップ１４１２Ａで、第１特図内容決定手段１１４１（第２特図内容決定手段１１４２）は、参照テーブルとして第１特図通常遊技状態用抽選テーブル１１４１ａ−１（第２特図通常遊技状態用抽選テーブル１１４２ａ−１）をセットし、ステップ１４１４Ａに移行する。
【００９７】
次に、ステップ１４１４Ａで、第１特図内容決定手段１１４１（第２特図内容決定手段１１４２）は、第１特図保留情報一時記憶手段１１３１ａ（第２特図保留情報一時記憶手段１１３２ａ）に一時記憶されている、今回の図柄変動に係る遊技内容決定乱数を読み出す。そして、ステップ１４１６Ａで、第１特図内容決定手段１１４１（第２特図内容決定手段１１４２）は、セットした各抽選テーブルを参照し、遊技内容決定乱数（例えば、当選乱数及び特別図柄決定乱数）に基づいて特別図柄に関する停止図柄を決定すると共に、遊技内容決定乱数（例えば、当選乱数及び変動態様決定乱数）に基づいて特別図柄の変動態様を決定し、これらを第１特図情報一時記憶手段１１９１ｂ（第２特図情報一時記憶手段１１９２ｂ）に一時記憶する。そして、ステップ１４１７Ａで、遊技制御手段１１００は、抽選結果が当たりか否かを判定する。ステップ１４１７ＡでＹｅｓの場合、ステップ１４１８Ａで、遊技制御手段１１００は、第１フラグ一時記憶手段１１９１ａ（第２フラグ一時記憶手段１１９２ａ）中の当たりフラグをオンにする。他方、ステップ１４１７ＡでＮｏの場合には、ステップ１４１８Ａをスキップする。次に、ステップ１４１９Ａで、情報送信手段１３００が、ステップ１４１６Ａで決定した特別図柄に関する図柄情報（停止図柄情報、停止図柄の属性情報、変動態様情報等）及び現在の遊技状態を第１演出表示制御手段２１５０（第２演出表示制御手段２２５０）側に送信する。次に、ステップ１４２０Ａで、第１特図変動時間管理手段１１５１ａ（第２特図変動時間管理手段１１５２ａ）が、所定時間（前記ステップ１４１６Ａで決定した変動態様に係る変動時間）を第１特図変動管理用タイマ１１５１ａ−１（第２特図変動管理用タイマ１１５２ａ−１）にセットする。そして、ステップ１４２２Ａで、第１特図制御手段１１５１（第２特図制御手段１１５２）は、第１特別図柄表示装置２１３０（第２特別図柄表示装置２２３０）の第１特図表示部２１３１（第２特図表示部２２３１）上で、第１特図情報一時記憶手段１１９１ｂ（第２特図情報一時記憶手段１１９２ｂ）に記憶された変動態様に従い、特別図柄の変動表示を開始する。次に、ステップ１４４６Ａで、第１特図制御手段１１５１（第２特図制御手段１１５２）は、第１フラグ一時記憶手段１１９１ａ（第２フラグ一時記憶手段１１９２ａ）中の変動中フラグをオンにする。
【００９８】
ここで、以下の処理を詳述する前に、第２調整モードにおける本タイプＡの特徴である、タイマ一時停止処理の概要を説明する。当該処理は、第２（第１）特別遊技実行中に、第１（第２）特別図柄変動に係るタイマを一時停止させることにより、第２（第１）特別遊技実行中における第１（第２）特別遊技への移行を防止するものである。即ち、第２（第１）特別遊技実行中は、第１（第２）特別図柄が変動し続ける。
【００９９】
そこで、フローチャートに戻ると、ステップ１４２４Ａで、遊技状態確認手段１２１０は、第１フラグ一時記憶手段１１９１ａ及び第２フラグ一時記憶手段１１９２ａを参照することにより、現在特別遊技関連フラグ（例えば、特別遊技移行許可フラグ、特別遊技実行フラグ）がオフであるか否か、即ち、現在第２（第１）特別遊技が実行中でないか否かを確認する。
【０１００】
ステップ１４２４ＡでＹｅｓの場合、ステップ１４２６Ａで、遊技状態確認手段１２１０は、第１特図変動管理用タイマ１１５１ａ−１（第２特図変動管理用タイマ１１５２ａ−１）を更に参照することにより、現在特別図柄変動タイマが停止中であるか否かを確認する。ステップ１４２６ＡでＹｅｓの場合、ステップ１４２８Ａで、特図変動タイマ一時停止手段１２２２ｂは、一時停止中であった第１特図変動管理用タイマ１１５１ａ−１（第２特図変動管理用タイマ１１５２ａ−１）をオンにする。そして、ステップ１４２９Ａで、情報送信手段１３００は、第１演出表示制御手段２１５０（第２演出表示制御手段２２５０）側に図柄変動の再開信号を送信し、ステップ１４３４Ａに移行する。
【０１０１】
他方、ステップ１４２４ＡでＮｏの場合、ステップ１４３０Ａで、遊技状態確認手段１２１０は、第１特図変動管理用タイマ１１５１ａ−１（第２特図変動管理用タイマ１１５２ａ−１）を更に参照することにより、現在特別図柄変動タイマが動作中であるか否かを確認する。ステップ１４３０ＡでＹｅｓの場合、ステップ１４３２Ａで、特図変動タイマ一時停止手段１２２２ｂは、動作中の第１特図変動管理用タイマ１１５１ａ−１（第２特図変動管理用タイマ１１５２ａ−１）を一時停止状態にする。そして、ステップ１４３３Ａで、情報送信手段１３００は、第１演出表示制御手段２１５０（第２演出表示制御手段２２５０）側に図柄変動の一時停止信号を送信し、ステップ１４３４Ａに移行する。尚、ステップ１４２６Ａ及びステップ１４３０ＡでＮｏの場合にもステップ１４３４Ａに移行する。
【０１０２】
次に、ステップ１４３４Ａで、第１特図変動時間管理手段１１５１ａ（第２特図変動時間管理手段１１５２ａ）が、前記所定時間に到達したか否かを判定する。ここで、ステップ１４３４ＡでＮｏの場合には、次の処理（ステップ１５００の特別遊技作動条件判定処理）に移行する。他方、ステップ１４３４ＡでＹｅｓの場合、ステップ１４３６Ａで、情報送信手段１３００は、所定時間に到達した旨のコマンドを第１演出表示制御手段２１５０（第２演出表示制御手段２２５０）側に送信する。次に、ステップ１４３８Ａで、第１特図制御手段１１５１（第２特図制御手段１１５２）は、第１特別図柄表示装置２１３０（第２特別図柄表示装置２２３０）の第１特図表示部２１３１（第２特図表示部２２３１）上での特別図柄の変動表示を停止し、第１特図情報一時記憶手段１１９１ｂ（第２特図情報一時記憶手段１１９２ｂ）に記憶されている停止図柄を確定停止図柄として表示制御する。次に、ステップ１４４０Ａで、第１特図制御手段１１５１（第２特図制御手段１１５２）は、第１フラグ一時記憶手段１１９１ａ（第２フラグ一時記憶手段１１９２ａ）中の変動中フラグをオフにする。そして、ステップ１４４２Ａで、第１特図変動時間管理手段１１５１ａ（第２特図変動時間管理手段１１５２ａ）は、第１特図変動管理用タイマ１１５１ａ−１（第２特図変動管理用タイマ１１５２ａ−１）をリセットする。次に、ステップ１４５０Ａで、主制御装置１０００は、後述の特定遊技終了判定処理を実行し、次の処理（ステップ１５００の特別遊技作動条件判定処理）に移行する。
【０１０３】
尚、ステップ１４０２ＡでＮｏの場合には、ステップ１４４４Ａで、第１特図制御手段１１５１（第２特図制御手段１１５２）は、第１フラグ一時記憶手段１１９１ａ（第２フラグ一時記憶手段１１９２ａ）を参照し、変動中フラグがオンであるか否かを判定する。ステップ１４４４ＡでＹｅｓの場合にはステップ１４２４Ａに移行し、Ｎｏの場合には次の処理（ステップ１５００の特別遊技作動条件判定処理）に移行する。
【０１０４】
次に、図１３は、図１１及び図１２におけるステップ１４５０（１）及び（３）Ａ｛ステップ１４５０（２）及び（４）Ａ｝のサブルーチンに係る、特定遊技終了判定のフローチャートである。まず、ステップ１４５２で、特定遊技制御手段１１８０は、時短回数カウンタ１１８１ａを参照して、時短回数カウンタ値が０よりも大きいか否かを判定する。ステップ１４５２でＹｅｓの場合、ステップ１４５４で、特定遊技制御手段１１８０は、時短回数カウンタ１１８１ａの時短回数カウンタ値を１減算する。次に、ステップ１４５６で、特定遊技制御手段１１８０は、時短回数カウンタ１１８１ａを参照して、時短回数が０であるか否かを判定する。ステップ１４５６でＹｅｓの場合、ステップ１４６０で、特定遊技制御手段１１８０は、第１フラグ一時記憶手段１１９１ａ中の時間短縮フラグをオフにし、次の処理（特別遊技作動条件判定処理１５００）に移行する。尚、ステップ１４５２及びステップ１４５６でＮｏの場合にも、次の処理（特別遊技作動条件判定処理１５００）に移行する。
【０１０５】
次に、図１４は、図８におけるステップ１５００のサブルーチンに係る、特別遊技作動条件判定処理のフローチャートである。まず、ステップ１５０２で、第１条件判定手段１１７１ａ（第２条件判定手段１１７２ａ）は、第１フラグ一時記憶手段１１９１ａ（第２フラグ一時記憶手段１１９２ａ）を参照し、当たりフラグがオンであるか否かを判定する。ステップ１５０２でＹｅｓの場合、ステップ１５０４で、第１条件判定手段１１７１ａ（第２条件判定手段１１７２ａ）は、第１特別図柄表示装置２１３０（第２特別図柄表示装置２２３０）の第１特図表示部２１３１（第２特図表示部２２３１）上に表示された特別図柄が所定態様で停止したか否かを判定する。ステップ１５０４でＹｅｓの場合、ステップ１５０６及びステップ１５０８で、第１条件判定手段１１７１ａ（第２条件判定手段１１７２ａ）は、第１フラグ一時記憶手段１１９１ａ（第２フラグ一時記憶手段１１９２ａ）中の特別遊技移行許可フラグをオンにすると共に当たりフラグをオフにする。そして、ステップ１５５０で、主制御装置１０００は、後述する特別遊技終了後の遊技状態決定処理を実行し、次の処理（ステップ１２００の電チュー駆動判定処理）に移行する。尚、ステップ１５０２及びステップ１５０４でＮｏの場合にも、次の処理（ステップ１２００の電チュー駆動判定処理）に移行する。
【０１０６】
次に、図１５は、図１４におけるステップ１５５０のサブルーチンに係る、特別遊技終了後の遊技状態決定処理のフローチャートである。まず、ステップ１５５２及び１５５４で、特定遊技制御手段１１８０は、第１フラグ一時記憶手段１１９１ａ及び第２フラグ一時記憶手段１１９２ａ中の特定遊技フラグ（確率変動フラグ・時間短縮フラグ）を一旦オフにすると共に、時短回数カウンタ１１８１ａをリセット（時短回数カウンタ値＝０）にする。そして、ステップ１５５６で、特定遊技制御手段１１８０は、第１特図表示部２１３１（第２特図表示部２２３１）上で停止した第１特別図柄（第２特別図柄）が確率変動当たりであるか否かを判定する。ステップ１５５６でＹｅｓの場合、ステップ１５５８及びステップ１５６０で、特定遊技制御手段１１８０は、第１フラグ一時記憶手段１１９１ａ及び第２フラグ一時記憶手段１１９２ａ中の確率変動フラグと時間短縮フラグとを夫々オンにし、次の処理（ステップ５０００の賞球払出処理）に移行する。尚、特定遊技フラグ（確率変動フラグ・時間短縮フラグ）を第１遊技側及び第２遊技側夫々にセットする理由は、第１遊技と第２遊技とを同じ遊技状態にすることを担保するためである。即ち、第１遊技及び第２遊技が通常遊技状態の場合において、第１遊技側で確率変動当たりとなった場合は、第１特別遊技終了後に第２遊技側も確率変動遊技状態となる。
【０１０７】
他方、ステップ１５５６でＮｏの場合、ステップ１５６２で、特定遊技制御手段１１８０は、第１特図表示部２１３１（第２特図表示部２２３１）上で停止した特別図柄が時間短縮変動当たりであるか否かを判定する。ステップ１５６２でＹｅｓの場合、ステップ１５６４で、特定遊技制御手段１１８０は、第１フラグ一時記憶手段１１９１ａ及び第２フラグ一時記憶手段１１９２ａ中の時間短縮フラグを夫々オンする。次に、ステップ１５６６で、特定遊技制御手段１１８０は、時短回数カウンタ１１８１ａに時短回数カウンタ値として所定値（例えば１００）をセットし、次の処理（ステップ１２００の電チュ−駆動判定処理）に移行する。尚、ステップ１５６２でＮｏの場合にも、次の処理（ステップ１２００の電チュ−駆動判定処理）に移行する。
【０１０８】
次に、図１６は、図８におけるステップ１２００のサブルーチンに係る、電チュー駆動判定処理のフローチャートである。まず、ステップ１２０２で、電チュ−開閉制御手段１１６０は、補助遊技関連情報一時記憶手段１１９３ａを参照して、電チュ−開放中フラグがオフであるか否かを判定する。ステップ１２０２でＹｅｓの場合、ステップ１２０４で、普図制御手段１１５３は、補助遊技関連情報一時記憶手段１１９３ａを参照して、普通図柄変動中フラグがオフであるか否かを判定する。ステップ１２０４でＹｅｓの場合、ステップ１２０６で、普図内容決定手段１１４３は、普図保留情報一時記憶手段１１３３ａにアクセスし、普通図柄に関する保留球があるか否かを判定する。ステップ１２０６でＹｅｓの場合、ステップ１２０８で、普図内容決定手段１１４３は、第１フラグ一時記憶手段１１９１ａ及び第２フラグ一時記憶手段１１９２ａを参照して、現在特別遊技中（特別遊技移行許可フラグオン又は特別遊技実行フラグオン）でないか否かを判定する。ステップ１２０８でＹｅｓの場合、ステップ１２１０で、普図内容決定手段１１４３は、第１フラグ一時記憶手段１１９１ａを参照して、現在の遊技状態が易開放状態中（時間短縮フラグオン）か否かを判定する。ステップ１２１０でＹｅｓの場合には、ステップ１２１２で、普図内容決定手段１１４３は、普図時間短縮用抽選テーブル１１４３ａ−２をセットし、他方、ステップ１２１０でＮｏの場合には、ステップ１２１４で、普図内容決定手段１１４３は、普図通常用抽選テーブル１１４３ａ−１をセットする。そして、ステップ１２１６で、普図内容決定手段１１４３は、当該保留球に基づく普通図柄乱数に基づき停止図柄を決定する。次に、ステップ１２１８で、普図変動時間管理手段１１５３ａは、セットしたテーブルに基づき、普図変動管理用タイマ１１５３ａ―１に所定時間（例えば、時短遊技の場合には５秒、通常遊技の場合には３０秒）をセットする。そして、ステップ１２２０で、普図制御手段１１５３は、補助遊技関連情報一時記憶手段１１９３ａ中の普通図柄変動中フラグをオンにする。次に、ステップ１２２２で、普図保留手段１１３３は、普通図柄に関する当該保留球を１減算した上で普図保留情報一時記憶手段１１３３ａに記録されている保留情報を更新すると共に、普図制御手段１１５３は、普図変動管理用タイマ１１５３ａ−１をスタートした後、普図表示部２３２１上で普通図柄の変動表示を開始する。次に、ステップ１２２４で、普図変動時間管理手段１１５３ａは、普図変動管理用タイマ１１５３ａ−１を参照して、前記所定時間に到達したか否かを判定する。ステップ１２２４でＹｅｓの場合、ステップ１２２６で、普図制御手段１１５３は、普図表示部２３２１上で、前記ステップ１２１６で普図内容決定手段１１４３が決定した停止図柄を確定表示する。そして、ステップ１２２８で、普図制御手段１１５３は、補助遊技関連情報一時記憶手段１１９３ａ中の普通図柄変動中フラグをオフにする。次に、ステップ１２３０で、条件判定手段１１６１は、当該停止図柄が「当たり」であるか否かを判定する。ステップ１２３０でＹｅｓの場合、ステップ１２３２で、電チュ−開閉制御手段１１６０は、セットしたテーブルに基づき、開放タイマ１１６２に所定時間（例えば、時短遊技の場合には５秒、通常遊技の場合には０．５秒）セットする。次に、ステップ１２３４で、電チュ−開閉制御手段１１６０は、補助遊技関連情報一時記憶手段１１９３ａ中の電チュ−開放中フラグをオンにする。そして、ステップ１２３６で、電チュー開閉制御手段１１６０は、第１特図始動口２１１０の第１電動役物２１１２を開放する。次に、ステップ１２３８で、電チュ−開閉制御手段１１６０は、開放タイマ１１６２を参照して、前記所定時間に到達したか否かを判定する。ステップ１２３８でＹｅｓの場合、ステップ１２４０及びステップ１２４２で、電チュ−開閉制御手段１１６０は、第１特図始動口２１１０の第１電動役物２１１２を閉鎖すると共に、補助遊技関連情報一時記憶手段１１９３ａ中の電チュ−開放中フラグをオフにし、次の処理（ステップ５０００の賞球払出処理）に移行する。
【０１０９】
尚、ステップ１２０２でＮｏの場合にはステップ１２３８に移行し、ステップ１２０４でＮｏの場合にはステップ１２２４に移行し、ステップ１２０８でＮｏの場合にはステップ１２１４に移行し、ステップ１２０６、ステップ１２２４、ステップ１２３０及びステップ１２３８でＮｏの場合には次の処理（ステップ５０００の賞球払出処理）に移行する。
【０１１０】
図１７は、図４でのステップ１６のサブルーチンに係る、特別遊技制御処理のフローチャートである。まず、ステップ９０で、特別遊技制御手段１１７０は、第１フラグ一時記憶手段１１９１ａ及び第２フラグ一時記憶手段１１９２ａを参照することにより、特別遊技が第１特別遊技及び第２特別遊技のうち第１特別遊技であるか否か、即ち、第１特別遊技に関する特別遊技移行許可フラグ又は特別遊技実行フラグがオンになっているか否かを確認する。ステップ９０でＹｅｓの場合には、ステップ２１００（１）で、主制御装置１０００は、後述する第１特別遊技実行処理を行い、次の処理（ステップ５０００の賞球払出処理）に移行する。他方、ステップ９０でＮｏの場合には、ステップ２１００（２）で、主制御装置１０００は、後述する第２特別遊技実行処理を行い、次の処理（ステップ５０００の賞球払出処理）に移行する。
【０１１１】
図１８は、図１７でのステップ２１００（１）及びステップ２１００（２）のサブルーチンに係る、第１特別遊技実行処理及び第２特別遊技実行処理のフローチャートである。まず、ステップ２１０２で、第１特別遊技実行手段１１７１ｂ（第２特別遊技実行手段１１７２ｂ）は、第１フラグ一時記憶手段１１９１ａ（第２フラグ一時記憶手段１１９２ａ）を参照し、特別遊技移行許可フラグがオンであるか否かを判定する。ステップ２１０２でＹｅｓの場合、ステップ２１０４で、情報送信手段１３００は、第１演出表示制御手段２１５０（第２演出表示制御手段２２５０）側に特別遊技開始信号を送信する。次に、ステップ２１０６及びステップ２１０８で、第１特別遊技実行手段１１７１ｂ（第２特別遊技実行手段１１７２ｂ）は、第１フラグ一時記憶手段１１９１ａ（第２フラグ一時記憶手段１１９２ａ）中の特別遊技移行許可フラグをオフにすると共に特別遊技実行フラグをオンにし、ステップ２１１２に移行する。他方、ステップ２１０２でＮｏの場合、ステップ２１１０で、第１特別遊技実行手段１１７１ｂ（第２特別遊技実行手段１１７２ｂ）は、特別遊技実行フラグがオンであるか否かを判定する。そして、ステップ２１１０でＹｅｓの場合には、ステップ２１１２に移行する。尚、ステップ２１１０でＮｏの場合には、第１特別遊技実行手段１１７１ｂ（第２特別遊技実行手段１１７２ｂ）は、特別遊技の許可が下りていないと判定し、次の処理（ステップ５０００の賞球払出処理）に移行する。
【０１１２】
次に、ステップ２１１２で、第１特別遊技実行手段１１７１ｂ（第２特別遊技実行手段１１７２ｂ）は、第１フラグ一時記憶手段１１９１ａ（第２フラグ一時記憶手段１１９２ａ）を参照し、ラウンド継続フラグがオンであるか否か、換言すれば、当該ラウンドが途中であるか否かを判定する。ステップ２１１２でＹｅｓの場合、即ち、当該ラウンドが途中である場合、以下で詳述するステップ２１１４〜２１２２の処理を行うことなく、ステップ２１２３に移行する。他方、ステップ２１１２でＮｏの場合、即ち、当該ラウンドの開始直前である場合、まず、ステップ２１１４で、第１特別遊技実行手段１１７１ｂ（第２特別遊技実行手段１１７２ｂ）は、第１特別遊技用タイマ１１７１ｃ−１（第２特別遊技用タイマ１１７２ｃ−１）をゼロクリアすると共に所定値（例えば３０秒）セットする。次に、ステップ２１１６で、第１特別遊技実行手段１１７１ｂ（第２特別遊技実行手段１１７２ｂ）は、第１特別遊技関連情報一時記憶手段１１９１ｃ（第２特別遊技関連情報一時記憶手段１１９２ｃ）中の入賞球カウンタをゼロクリアする。そして、ステップ２１１８で、第１特別遊技実行手段１１７１ｂ（第２特別遊技実行手段１１７２ｂ）は、第１特別遊技関連情報一時記憶手段１１９１ｃ（第２特別遊技関連情報一時記憶手段１１９２ｃ）中のラウンド数カウンタに１を加算する。尚、第１特別遊技関連情報一時記憶手段１１９１ｃ（第２特別遊技関連情報一時記憶手段１１９２ｃ）に記憶されているラウンド数は、特別遊技開始直後（初期値）は０であり、以後ラウンドを重ねていく毎に１ずつインクリメントされる。次に、ステップ２１２０で、第１特別遊技実行手段１１７１ｂ（第２特別遊技実行手段１１７２ｂ）は、第１フラグ一時記憶手段１１９１ａ（第２フラグ一時記憶手段１１９２ａ）中のラウンド継続フラグをオンにする。そして、ステップ２１２２で、第１特別遊技実行手段１１７１ｂ（第２特別遊技実行手段１１７２ｂ）は、第１大入賞口２１２０（第２大入賞口２２２０）の第１電動役物２１２２（第２電動役物２２２２）を駆動して第１大入賞口２１２０（第２大入賞口２２２０）を開放し、ステップ２１２３に移行する。
【０１１３】
次に、ステップ２１２３で、情報送信手段１３００は、第１演出表示制御手段２１５０（第２演出表示制御手段２２５０）側に現在の遊技状態情報（例えば、現在のラウンド数や遊技球の入賞個数等）を送信する。そして、ステップ２１２４で、第１特別遊技実行手段１１７１ｂ（第２特別遊技実行手段１１７２ｂ）は、第１特別遊技関連情報一時記憶手段１１９１ｃ（第２特別遊技関連情報一時記憶手段１１９２ｃ）を参照して当該ラウンドで所定球（例えば１０球）の入賞球があったか否かを判定する。ステップ２１２４でＹｅｓの場合には、ステップ２１２８に移行する。他方、ステップ２１２４でＮｏの場合、ステップ２１２６で、第１特別遊技実行手段１１７１ｂ（第２特別遊技実行手段１１７２ｂ）は、第１特別遊技用タイマ１１７１ｃ−１（第２特別遊技用タイマ１１７２ｃ−１）を参照して所定時間が経過したか否かを判定する。ステップ２１２６でＹｅｓの場合にも、ステップ２１２８に移行し、Ｎｏの場合には、次の処理（賞球払出処理５０００）に移行する。
【０１１４】
次に、ステップ２１２８で、第１特別遊技実行手段１１７１ｂ（第２特別遊技実行手段１１７２ｂ）は、第１大入賞口２１２０（第２大入賞口２２２０）の第１電動役物２１２２（第２電動役物２２２２）の駆動を停止して第１大入賞口２１２０（第２大入賞口２２２０）を閉鎖する。そして、ステップ２１３０で、第１特別遊技実行手段１１７１ｂ（第２特別遊技実行手段１１７２ｂ）は、第１特別遊技用タイマ１１７１ｃ−１（第２特別遊技用タイマ１１７２ｃ−１）をリセットする。次に、ステップ２１３２で、第１特別遊技実行手段１１７１ｂ（第２特別遊技実行手段１１７２ｂ）は、第１フラグ一時記憶手段１１９１ａ（第２フラグ一時記憶手段１１９２ａ）中のラウンド継続フラグをオフにする。次に、ステップ２１３４で、第１特別遊技実行手段１１７１ｂ（第２特別遊技実行手段１１７２ｂ）は、第１特別遊技関連情報一時記憶手段１１９１ｃ（第２特別遊技関連情報一時記憶手段１１９２ｃ）を参照して、当該ラウンドが最終ラウンドか否かを判定する。ステップ２１３４でＹｅｓの場合、ステップ２１３６で、第１特別遊技実行手段１１７１ｂ（第２特別遊技実行手段１１７２ｂ）は、第１フラグ一時記憶手段１１９１ａ（第２フラグ一時記憶手段１１９２ａ）中の特別遊技実行フラグをオフにする。そして、ステップ２１３８で、情報送信手段１３００は、第１演出表示制御手段２１５０（第２演出表示制御手段２２５０）側に特別遊技終了信号を送信し、次の処理（賞球払出処理５０００）に移行する。尚、ステップ２１３４でＮｏの場合にも、次の処理（賞球払出処理５０００）に移行する。
【０１１５】
図１９は、本最良形態（タイプＡ）に係るパチンコ遊技機における、サブ基板側のメインフローチャートである。まず、ステップ６１００（１）で、第１演出表示制御手段２１５０は、後述する第１装飾図柄表示制御処理を実行する。次に、ステップ６１００（２）で、第２演出表示制御手段２２５０は、後述する第２装飾図柄表示制御処理を実行する。次に、ステップ６９００で、第１演出表示制御手段２１５０及び／又は第２演出表示制御手段２２５０は、後述する操作ナビ表示制御処理を実行する。そして、ステップ６２００で、第１演出表示制御手段２１５０及び／又は第２演出表示制御手段２２５０は、後述する特別遊技中表示制御処理を実行し、ステップ６１００（１）に戻る処理を繰り返す。
【０１１６】
図２０は、図１９でのステップ６１００（１）及びステップ６１００（２）のサブルーチンに係る、タイプＡの第１装飾図柄表示制御処理及び第２装飾図柄表示制御処理のフローチャートである。まず、ステップ６１０１Ａで、第１装飾図柄表示制御手段２１５２ａ（第２装飾図柄表示制御手段２２５２ａ）は、図柄変動中フラグがオフであるか否かを判定する。ステップ６１０１ＡでＹｅｓの場合、ステップ６１０２Ａで、第１装飾図柄表示制御手段２１５２ａ（第２装飾図柄表示制御手段２２５２ａ）は、第１メイン側情報一時記憶手段２１５１ａ（第２メイン側情報一時記憶手段２２５１ａ）を参照し、主制御装置１０００側から図柄情報を受信したか否かを判定する。ステップ６１０２ＡでＹｅｓの場合、ステップ６１０４Ａで、第１装図表示内容決定手段２１５２ａ−１（第２装図表示内容決定手段２２５２ａ−１）は、第１メイン側情報一時記憶手段２１５１ａ（第２メイン側情報一時記憶手段２２５１ａ）内に一時記憶された主制御装置１０００側からの図柄情報に基づき、第１装図変動内容決定用抽選テーブル２１５２ａ−１−１（第２装図変動内容決定用抽選テーブル２２５２ａ−１−１）を参照して、第１装飾図柄（第２装飾図柄）の変動態様と停止図柄を決定する。尚、主制御装置１０００側からの停止図柄・変動態様（即ち、特別図柄の停止図柄・変動態様）と第１演出表示制御手段２１５０（第２演出表示制御手段２２５０）側で決定する停止図柄・変動態様（即ち、装飾図柄の停止図柄・変動態様）とは１対１対応でなくともよく、例えば、第１演出表示制御手段２１５０（第２演出表示制御手段２２５０）側での変動態様の比率を主制御装置１０００側からの一変動態様に対して複数パターン持っていてもよい。次に、ステップ６１０５Ａで、第１装飾図柄表示制御手段２１５２ａ（第２装飾図柄表示制御手段２２５２ａ）は、図柄変動中フラグをオンにする。そして、ステップ６１０６Ａで、第１装飾図柄表示制御手段２１５２ａ（第２装飾図柄表示制御手段２２５２ａ）は、前記ステップ６１０４Ａでの決定内容に従い、第１演出表示装置２１４０（第２演出表示装置２２４０）の第１装図表示部２１４１（第２装図表示部２２４１）上で第１装飾図柄（第２装飾図柄）の変動表示を開始する。次に、ステップ６１０７Ａで、第１装飾図柄表示制御手段２１５２ａ（第２装飾図柄表示制御手段２２５２ａ）は、図柄変動一時停止フラグがオフであるか否かを判定する。ステップ６１０７ＡでＹｅｓの場合、ステップ６１０８Ａで、第１装飾図柄表示制御手段２１５２ａ（第２装飾図柄表示制御手段２２５２ａ）は、第１メイン側情報一時記憶手段２１５１ａ（第２メイン側情報一時記憶手段２２５１ａ）を参照して、主制御装置１０００側から図柄変動の一時停止信号を受信したか否かを判定する。ステップ６１０８ＡでＹｅｓの場合、ステップ６１０９Ａ及びステップ６１１０Ａで、第１装飾図柄表示制御手段２１５２ａ（第２装飾図柄表示制御手段２２５２ａ）は、図柄変動一時停止フラグをオンにすると共に、第１演出表示装置２１４０（第２演出表示装置２２４０）の第１装図表示部２１４１（第２装図表示部２２４１）上で、変動中の第１装飾図柄（第２装飾図柄）を一時停止（ゆれ変動）する。そして、ステップ６１１２Ａで、第１装飾図柄表示制御手段２１５２ａ（第２装飾図柄表示制御手段２２５２ａ）は、第１メイン側情報一時記憶手段２１５１ａ（第２メイン側情報一時記憶手段２２５１ａ）を参照して、主制御装置１０００側から図柄変動の再開信号を受信したか否かを判定する。ステップ６１１２ＡでＹｅｓの場合、ステップ６１１３Ａ及びステップ６１１４Ａで、第１装飾図柄表示制御手段２１５２ａ（第２装飾図柄表示制御手段２２５２ａ）は、図柄変動一時停止フラグをオフにすると共に、一時停止（ゆれ変動）していた第１装飾図柄（第２装飾図柄）の変動を再開する。他方、ステップ６１１２ＡでＮｏの場合には、再開信号を受信するまで待機する。そして、ステップ６１１６Ａで、第１装飾図柄表示制御手段２１５２ａ（第２装飾図柄表示制御手段２２５２ａ）は、第１メイン側情報一時記憶手段２１５１ａ（第２メイン側情報一時記憶手段２２５１ａ）を参照し、主制御装置１０００側から確定表示コマンドを受信したか否かを判定する。ステップ６１１６ＡでＹｅｓの場合、ステップ６１１８Ａで、第１装飾図柄表示制御手段２１５２ａ（第２装飾図柄表示制御手段２２５２ａ）は、前記ステップ６１０４Ａでの決定内容に従い、第１装飾図柄（第２装飾図柄）の停止図柄を確定表示する。そして、ステップ６１１９Ａで、第１装飾図柄表示制御手段２１５２ａ（第２装飾図柄表示制御手段２２５２ａ）は、図柄変動中フラグをオフにし、次の処理（操作ナビ表示制御処理６９００）に移行する。尚、ステップ６１０１ＡでＮｏの場合にはステップ６１０７Ａに移行し、ステップ６１０２Ａ及びステップ６１１６ＡでＮｏの場合には次の処理（操作ナビ表示制御処理６９００）に移行し、ステップ６１０７ＡでＮｏの場合にはステップ６１１２Ａに移行し、ステップ６１０８Ａ及びステップ６１１２ＡでＮｏの場合にはステップ６１１６Ａに移行する。
【０１１７】
図２１は、図１９でのステップ６９００のサブルーチンに係る、操作ナビ表示制御処理のフローチャートである。ここで、本処理は、第１調整モード（直列：擬似通常遊技状態）から第２調整モード（並列：擬似確率変動遊技状態）への移行条件情報を、所定条件充足時に表示制御する処理である。尚、本最良形態においては、当該ナビゲーションは、第１演出表示装置２１４０及び第２演出表示装置２２４０のいずれか一方上で実行されるように構成されているが、両方が協同して実行されるように構成されていたり、サイドランプや音声等の他の手段により実行されるように構成されていてもよい。
【０１１８】
そこで、本フローチャートを説明すると、まず、ステップ６９０２で、第１表示制御手段２１５２（第２表示制御手段２２５２）は、第１メイン側情報一時記憶手段２１５１ａ（第２メイン側情報一時記憶手段２２５１ａ）を参照し、主制御装置１０００側から保留条件情報（図９のステップ１６１０参照）を受信したか否かを判定する。ステップ６９０２でＹｅｓの場合、ステップ６９０４で、第１表示制御手段２１５２（第２表示制御手段２２５２）は、保留条件決定済フラグをオンにする。次に、ステップ６９０６で、第１表示制御手段２１５２（第２表示制御手段２２５２）は、第１メイン側情報一時記憶手段２１５１ａ（第２メイン側情報一時記憶手段２２５１ａ）を参照し、主制御装置１０００側から保留条件リセット情報（図９のステップ１６２４参照）を受信したか否かを判定する。ステップ６９０６でＹｅｓの場合、ステップ６９０８で、第１表示制御手段２１５２（第２表示制御手段２２５２）は、保留条件決定済フラグをオフにする。次に、ステップ６９１０で、第１表示制御手段２１５２（第２表示制御手段２２５２）は、ナビ発生要件を充足しているか否かを判定する。
【０１１９】
ここで、ナビ発生要件としては、例えば、装飾図柄の停止図柄が所定態様である場合や、装飾図柄の変動態様が所定態様である場合等、サブ側での結果に基づくものであっても、例えば、特別図柄の変動回数や遊技状態等、メイン側での結果に基づくものであってもよい。
【０１２０】
再び当該フローチャートの説明に戻ると、ステップ６９１０でＹｅｓの場合、ステップ６９１２で第１表示制御手段２１５２（第２表示制御手段２２５２）は、保留条件決定済フラグがオンであるか否かを判定する。ステップ６９１２でＹｅｓの場合、ステップ６９１４で、第１表示制御手段２１５２は、当該保留条件情報を第１演出表示装置２１４０（第２演出表示装置２２４０）の第１装図表示部２１４１（第２装図表示部２２４１）上に表示し（例えば図１参照）、次の処理（特別遊技中表示制御処理６２００）に移行する。尚、ステップ６９０２でＮｏの場合にはステップ６９０６に移行し、ステップ６９０６でＮｏの場合にはステップ６９１０に移行し、ステップ６９１０及びステップ６９１２でＮｏの場合には次の処理（特別遊技中表示制御処理６２００）に移行する。
【０１２１】
図２２は、図１９でのステップ６２００のサブルーチンに係る、特別遊技中表示制御処理のフローチャートである。まず、ステップ６２０１で、第１表示制御手段２１５２（第２表示制御手段２２５２）は、特別遊技中フラグがオフであるか否かを判定する。ステップ６２０１でＹｅｓの場合、ステップ６２０２で、第１表示制御手段２１５２（第２表示制御手段２２５２）は、第１メイン側情報一時記憶手段２１５１ａ（第２メイン側情報一時記憶手段２２５１ａ）を参照し、主制御装置１０００側から特別遊技開始信号を受信したか否かを判定する。ステップ６２０２でＹｅｓの場合、ステップ６２０３及びステップ６２０４で、第１表示制御手段２１５２（第２表示制御手段２２５２）は、特別遊技中フラグをオンにすると共に、第１演出表示装置２１４０（第２演出表示装置２２４０）の第１装図表示部２１４１（第２装図表示部２２４１）上で大当たり開始表示を行う。そして、ステップ６２０６で、第１表示制御手段２１５２（第２表示制御手段２２５２）は、第１演出表示装置２１４０（第２演出表示装置２２４０）の第１装図表示部２１４１（第２装図表示部２２４１）上で、ステップ２１２３で主制御装置１０００側から逐次送信されている遊技情報に基づき、ラウンド数と入賞個数を逐次表示する。そして、ステップ６２０８で、第１表示制御手段２１５２（第２表示制御手段２２５２）は、第１メイン側情報一時記憶手段２１５１ａ（第２メイン側情報一時記憶手段２２５１ａ）を参照し、主制御装置１０００側から特別遊技終了信号を受信したか否かを判定する。ステップ６２０８でＹｅｓの場合、ステップ６２１０で、第１表示制御手段２１５２（第２表示制御手段２２５２）は、第１演出表示装置２１４０（第２演出表示装置２２４０）の第１装図表示部２１４１（第２装図表示部２２４１）上で、大当たり終了表示を行う。そして、ステップ６２１１で、第１表示制御手段２１５２（第２表示制御手段２２５２）は、特別遊技中フラグをオフにし、次の処理｛第１装飾図柄表示制御処理６１００（１）｝に移行する。尚、ステップ６２０１でＮｏの場合にはステップ６２０６に移行し、ステップ６２０２及びステップ６２０８でＮｏの場合にも次の処理｛第１装飾図柄表示制御処理６１００（１）｝に移行する。
【０１２２】
次に、図２３及び図２４のタイミングチャートを参照しながら、本最良形態（タイプＡ）に係るパチンコ遊技機の作用について説明する。尚、図２３及び図２４は、各調整モードにおける図柄変動の様子を示したものである。
【０１２３】
はじめに、図２３のタイミングチャートは、第１調整モード（直列：擬似通常遊技状態）における第１図柄と第２図柄の変動の様子を示したものである。当該モードにおいては、第１特図始動口及び第２特図始動口の入賞順序に従いいずれか一方の図柄のみが変動する。具体的には、本例では、第１特図始動口及び第２特図始動口への入賞順序は、「１−１」→「１−２」→「２−１」→「１−３」→「２−２」→「２−３」→「１−４」→「１−５」である。したがって、第１図柄及び第２図柄は、当該順序で変動する。
【０１２４】
次に、図２４のタイミングチャートは、第２調整モード（並列：擬似確率変動遊技状態）における第１図柄と第２図柄の変動の様子を示したものである。当該モードにおいては、第１図柄と第２図柄が同時に変動することが許容されている。具体的には、第１特図始動口及び第２特図始動口への入賞順に、第１図柄及び第２図柄が夫々変動する。ここで、第２図柄の「２−３」の変動の結果、第２特別遊技に移行する。これを受け、第２図柄の「２−３」が当たり図柄で停止したとき、変動を開始してからＴａを経過している第１図柄の「１−４」の変動が、第２特別遊技が終了するまで一時停止し、当該第２特別遊技が終了した後、一時停止が解除され「１−４」の残り時間Ｔｂの変動が実行される。尚、第１図柄の「１−４」は、内部的に当選しており、前記一時停止状態の際にも内部的には当たり状態が維持されている。そして、第１図柄の「１−４」が停止した後、第１特別遊技に移行する。
【０１２５】
次に、図１及び図２５を参照しながら、どのようなプロセスで擬似通常遊技状態（第１調整モード）から擬似確率変動遊技状態（第２調整モード）に移行するかを具体的に説明する。まず、遊技者が発射ハンドル１１６を回動させると、遊技領域１２０に遊技球が放出される。当該遊技球は遊技領域１２０を流下し、一部の遊技球が第１特図始動口２１１０や第２特図始動口２２１０に入賞する。ここで、擬似通常遊技状態では、第１特別図柄と第２特別図柄のいずれか一方のみの図柄変動が許容されるので、いずれか一方の図柄変動が実行されている間に第１特図始動口２１１０や第２特図始動口２２１０に入賞した遊技球は、夫々別個の保留装置（第１特図保留手段１１３１、第２特図保留手段１１３２）に最大４個まで一時記憶される。ここで、本例では、（１）第１特別図柄の保留数が１個以上である、（２）第２特別図柄の保留数が３個以上である、（３）両方の保留数の合計が４個以上である、の三要件を充足した場合に、擬似確率変動遊技状態に移行するよう内部決定されている。この状況下、前記三要件を充足した場合、擬似通常遊技状態から擬似確率変動遊技状態に移行する。そして、例えば遊技球の発射を中止する等により、前記三要件を充足しなくなった場合には、擬似確率変動遊技状態から擬似通常遊技状態に転落する。
【０１２６】
ここで、本最良形態は、モード移行のナビゲーションシステムを備えている。本例では、第１装飾図柄又は第２装飾図柄のいずれか一方が「７７６」というハズレ図柄で停止した場合にナビゲーション実行要件を充足し、再び同図柄が停止した場合にナビゲーション非実行要件を充足するものとする。この状況下、図１に示すように、第２装飾図柄が「７７６」で停止した場合、第２特別図柄表示装置２２３０上には「ナビ発生要件充足！  おめでとう」というメッセージが表示されると共に、図１及び図２５に示すように、第１特別図柄表示装置２１３０上には「左側１個以上  右側３個以上  合計４個以上  保留ランプを点灯させて下さい」というナビゲーション表示がなされる。これにより、遊技者は、より効率的に擬似確率変動遊技状態に移行させることが可能になる。
【０１２７】
次に、本最良形態のＢタイプ（ハズレ停止図柄強制停止タイプ）を説明する。ここで、当該タイプは、第２（第１）の特別遊技実行中に第１（第２）特別図柄が変動中である場合、当該第１（第２）特別図柄をハズレ停止図柄で強制的に停止させることにより、第１（第２）特別遊技への移行を防止するものである。
【０１２８】
そこでまず、図３のブロック図を参照しながら、タイプＢに係るパチンコ遊技機の機能上の特徴を説明する。タイプＢに係るパチンコ遊技機は、タイプＡの特図変動タイマ一時停止手段１２２２ｂの代わりに、第１遊技及び第２遊技の一方が特別遊技に移行した場合、他方の遊技に係る特別図柄を強制的にハズレ図柄にするためのハズレ図柄強制差換手段１２２２ｃを有することを特徴とする。
【０１２９】
次に、図２６及び図２７のフローチャートを参照しながら、タイプＢに係るパチンコ遊技機の処理上の特徴を説明する。ここで、図２６は、メイン側の処理に係るフローチャートであり、詳細には、図８におけるステップ１４００（３）｛１４００（４）｝のサブルーチンに係る、第１特別図柄表示処理（第２特別図柄表示処理）のフローチャートである。尚、大部分が図１１と共通し、ステップ１４２４Ｂ〜ステップ１４３１Ｂが存在する点でのみ相違する。そこで相違点のみ説明すると、ステップ１４２２Ｂで特別図柄が変動を開始した後、ステップ１４２４Ｂで、遊技状態確認手段１２１０は、第２フラグ一時記憶手段１１９２ａ（第１フラグ一時記憶手段１１９１ａ）を参照して、特別遊技関連フラグ（例えば、特別遊技移行許可フラグ、特別遊技実行フラグ）がオフであるか否か、即ち、現在特別遊技が実行中でないか否かを判定する。そして、ステップ１４２４ＢでＹｅｓの場合には、本フローに係るハズレ停止図柄強制停止処理を行なわず、ステップ１４３４Ｂに移行する。他方、ステップ１４２４ＢでＮｏの場合、ステップ１４２５Ｂで、まず、情報送信手段１３００が、第１演出表示制御手段２１５０（第２演出表示制御手段２２５０）側にハズレ図柄で強制停止する旨の確定表示コマンドを送信する。次に、ステップ１４２７Ｂで、ハズレ図柄強制差換手段１２２２ｃが、第１特図情報一時記憶手段１１９１ｂ（第２特図情報一時記憶手段１１９２ｂ）に記憶されている停止図柄をハズレ停止図柄に強制的に差換えると共に、作動回避実行手段１２２２が、第１特図変動管理用タイマ１１５１ａ−１（第２特図変動管理用タイマ１１５２ａ−１）をゼロクリアする。これにより、設定したハズレ停止図柄が、第１特図表示部２１３１（第２特図表示部２２３１）に確定表示されることになる。そして、ステップ１４２９Ｂで、作動回避制御手段１２２０は、第１フラグ一時記憶手段１１９１ａ（第２フラグ一時記憶手段１１９２ａ）を参照して、当たりフラグがオンであるか否かを判定する。ステップ１４２９ＢでＹｅｓの場合、ステップ１４３１Ｂで、作動回避制御手段１２２０は、第１フラグ一時記憶手段１１９１ａ（第２フラグ一時記憶手段１１９２ａ）中の当たりフラグをオフにする。これにより、当該ハズレの停止図柄が停止するだけでなく、内部的にも当たりの権利が消滅する。
【０１３０】
尚、上記タイプＢは、強制ハズレ停止条件を充足した場合、変動中の図柄が直ちにハズレ停止図柄に置換されるように構成したが、ハズレ態様が停止図柄として表示されるまで変動を延長する、いわゆる「すべり」の手法を用いてもよい。
【０１３１】
次に、図２７は、サブ側の処理に係るフローチャートであり、詳細には、図１９でのステップ６１００（１）及びステップ６１００（２）のサブルーチンに係る、第１装飾図柄表示制御処理及び第２装飾図柄表示制御処理のフローチャートである。尚、大部分が図２０と共通し、ステップ６１０９Ｂ〜ステップ６１１Ｂ間の処理のみ相違する。そこで相違点のみ説明すると、ステップ６１０９Ｂで、第１装飾図柄表示制御手段２１５２ａ（第２装飾図柄表示制御手段２２５２ａ）は、第１メイン側情報一時記憶手段２１５１ａ（第２メイン側情報一時記憶手段２２５１ａ）を参照して、主制御装置１０００側からハズレ停止図柄で強制停止する旨の信号を受信したか否かを判定する。ステップ６１０９ＢでＹｅｓの場合、ステップ６１１１Ｂで、第１装飾図柄表示制御手段２１５２ａ（第２装飾図柄表示制御手段２２５２ａ）は、第１演出表示装置２１４０（第２演出表示装置２２４０）の第１装図表示部２１４１（第２装図表示部２２４１）上で、変動中の第１装飾図柄（第２装飾図柄）をハズレ停止図柄で強制停止し、ステップ６１１９Ｂに移行する。他方、ステップ６１０９ＢでＮｏの場合は、ステップ６１１６Ｂに移行する。
【０１３２】
次に、図２８のタイミングチャートを参照しながら、本最良形態のタイプＢの作用について説明する。ここで、当該タイミングチャートは、第２調整モード（並列：擬似確率変動遊技状態）における第１図柄と第２図柄の変動の様子を示したものである。当該モードにおいても、第１図柄と第２図柄が同時に変動することが許容されている。具体的には、第１特図始動口及び第２特図始動口への入賞順に、第１図柄及び第２図柄が夫々変動する。ここで、第２図柄の「２−３」の変動の結果、第２特別遊技に移行する。これを受け、第２図柄の「２−３」が当たり図柄で停止したとき、変動を開始してからＴａを経過している第１図柄の「１−４」の変動が、強制的にハズレ図柄で停止する。また、第１図柄の「１−４」は、内部的に当選しているが、当該強制ハズレにより内部当たりが無効化される。
【０１３３】
本最良形態によれば、第一識別情報及び第二識別情報の両方が変動中である場合には、いずれかの識別情報の変動が停止するまで第２調整モードから第１調整モードへのモード切替を待機するという極めてシンプルな構成を採っているので、遊技性の複雑化を回避できると共に、モード切替を円滑に実行できるという効果も奏する。
【０１３４】
更に、第１調整モードから第２調整モードへのモード切替を行うに際しては待機させずにただちに実行するように構成されているので、無駄に待機させることに基づく処理の複雑化を回避できるという効果を奏する。
【０１３５】
更に、第二調整モードから前記第一調整モードに切替える際に第１遊技側及び第２遊技側での保留解除順序を決定するので、第２調整モードから第１調整モードへのモード切替をより円滑に実行できるという効果を奏する。
【０１３６】
更に、遊技状態を変更することなく、換言すれば、参照する抽選テーブルを変えることなく、識別情報変動開始許可タイミングを変更するだけで、実質的に高確率抽選状態を構築できるという効果を奏する。更には、識別情報変更開始許可タイミングの変更は、始動口への入球に基づく抽選権の執行時期が早まる（第二調整モード）か遅くなる（第一調整モード）かの時間的問題である。したがって、不正による利益状態の変動は、抽選テーブル自体を変更する従来機と比較すると大幅に低く、仮に不正が行なわれた場合であってもホール側の経済的損失は少ない。したがって、従来機と比較すると、モード切換タイミング（即ち、抽選確率変動タイミング）にフレキシビリティを持たせることができる結果、遊技の興趣性を高めることが可能になるという効果を奏する。更には、実遊技状態（例えば、通常遊技状態、時間短縮遊技状態、確率変動遊技状態）と擬似遊技状態（擬似通常遊技状態、擬似確率変動遊技状態）とを任意に組み合わせる（例えば、すべての実遊技状態を擬似遊技状態と組み合わせると６種類となり、例えば、一つの実遊技状態のみを擬似遊技状態と組み合わせると４種類となり、二つの実遊技状態を擬似遊技状態と組み合わせると５種類となる）ことにより、単位時間当たりの特別遊技移行確率が実質的に相違する、複数の遊技状態を構築できるという効果を奏する。
【０１３７】
更に、第二条件を充足した場合には、擬似高確率抽選遊技状態から、従来の第一種に近い擬似低確率抽選状態に移行するように構成されているので、遊技者に対して理解し易い遊技内容を提供できるという効果を奏する。更に、擬似低確率抽選状態では、第一遊技及び第二遊技の互いの遊技性を打ち消し合わないので、遊技者は夫々の遊技性を満喫できるという効果も奏する。
【０１３８】
更に、一方の識別情報が所定態様（当たり態様）で停止したことに基づく特別遊技が実行されているときには、少なくとも当該特別遊技の間は、他方の識別情報に基づく特別遊技は実行されない（例えば、当該特別遊技が終了するまで変動を一時停止、当該変動を強制的にハズレ図柄で停止、当該変動を所定時間延長）ので、複数の特別遊技が同時実行されるような混乱を未然に防止できると共に、遊技者は当該特別遊技に集中することができるという効果を奏する。
【０１３９】
更に、第一乱数記憶手段及び／又は第二乱数記憶手段に一時記憶されている第一乱数及び／又は第二乱数の数が所定値に到達した場合に擬似高確率抽選状態又は擬似低確率抽選状態となるので、遊技者による遊技球発射に影響を与えることが可能になるという効果を奏する。例えば、所定の保留球数に達したときに擬似低確率抽選状態から擬似高確率抽選状態へと切替え、所定の保留球数未満となったときに擬似高確率抽選状態から擬似低確率抽選状態へと切替えるように構成した場合、遊技者に継続して遊技球発射を促すことにつながる。
【０１４０】
次に、本最良形態に係る第１変更例について説明する。ここで、第１変更例は、前述したように、変動態様として特定態様（例えば特定のリーチ態様）が選択された場合に擬似確率変動遊技状態に移行するタイプである。そこで、図２９のフローチャートを参照しながら、当該変更例に係るパチンコ遊技機の処理上の特徴（特に調整モード切替判定処理）を説明する。まず、ステップ１６３０−２で、切替条件充足判定手段１２３２は、第１特図情報一時記憶手段１１９１ｂ及び第２特図情報一時記憶手段１１９２ｂを参照し、いずれかの特別図柄が変動中であるか否かを判定する。ステップ１６３０−２でＹｅｓの場合、ステップ１６３２−２で、切替条件充足判定手段１２３２は、第１特図情報一時記憶手段１１９１ｂ及び第２特図情報一時記憶手段１１９２ｂを参照し、いずれかの変動態様が特定態様Ａであるか否かを判定する。ここで、特定態様Ａとしては、変動時間が所定時間（例えば３０秒）以上のスーパーリーチである場合を例示することができる。そして、ステップ１６３２−２でＹｅｓの場合、ステップ１６１４−２で、切替条件充足判定手段１２３２は、調整モード関連情報一時記憶手段１２３３を参照し、現在の調整モードが第１調整モードであるか否かを判定する。ステップ１６１４−２でＹｅｓの場合、ステップ１６１６−２で、調整モード制御手段１２３０は、当該図柄変動停止後に第２調整モード切替実行フラグをオンにし、次の処理（ステップ１７００の調整モード切替実行処理）に移行する。
【０１４１】
他方、ステップ１６３２−２でＮｏの場合、ステップ１６３４−２で、切替条件充足判定手段１２３２は、第１特図情報一時記憶手段１１９１ｂ及び第２特図情報一時記憶手段１１９２ｂを参照し、いずれかの変動態様が特定態様Ｂであるか否かを判定する。ここで、特定態様Ｂとしては、変動時間が所定時間（例えば１５秒）未満のノーマルリーチである場合を例示することができる。ステップ１６３４−２でＹｅｓの場合、ステップ１６１８−２で、切替条件充足判定手段１２３２は、調整モード関連情報一時記憶手段１２３３を参照し、現在の調整モードが第２調整モードであるか否かを判定する。ステップ１６１８−２でＹｅｓの場合、ステップ１６２０−２で、調整モード制御手段１２３０は、調整モード関連情報一時記憶手段１２３３中の第１調整モード切替実行フラグをオンにし、次の処理（ステップ１７００の調整モード切替実行処理）に移行する。
【０１４２】
本変更例によれば、第一識別情報又は第二識別情報の変動態様が所定の変動態様の場合に擬似高確率抽選状態又は擬似低確率抽選状態となるので、遊技の進行における変動態様の位置付けを変更することができる。即ち、これまでの変動態様は、変動態様自体は直接的には何ら遊技者に対して利益を与えるものではなかったところ、本変更例によれば、変動態様自体が直接的に遊技者に対して利益を与えることが可能になるという効果を奏する。
【０１４３】
次に、本最良形態に係る第２変更例について説明する。ここで、第２変更例は、前述したように、特別図柄の変動回数が所定回数に達した場合に擬似確率変動遊技状態に移行するタイプである。そこで、まず、図３を参照しながら当該変更例に係るパチンコ遊技機の機能上の特徴を説明する。図３に示すように、本パチンコ遊技機は、第１特別図柄の変動回数をカウントするための第１変動回数カウンタ１１９１ｄと、第２特別図柄の変動回数をカウントするための第２変動回数カウンタ１１９２ｄを有している。
【０１４４】
次に、図１１、図１２、図２６及び図３０のフローチャートを参照しながら、当該変更例に係るパチンコ遊技機の処理上の特徴を説明する。まず、図１１は、図８におけるステップ１４００（１）｛ステップ１４００（２）｝のサブルーチンに係る、第一調整モード（直列：擬似通常遊技状態）における第１特別図柄表示処理（第２特別図柄表示処理）のフローチャートである。ここで、本最良形態と相違する点は、ステップ１４０３−３の処理が存在する点のみである。ステップ１４０３−３は、調整モード制御手段１２３０が第１変動回数カウンタ１１９１ｄ中の変動回数カウンタ値に１を加算するという処理である。
【０１４５】
また、図１２及び図２６は、夫々、タイプＡ（強制一時停止タイプ）及びタイプＢ（強制ハズレ図柄差換タイプ）に係る主制御装置１０００側の処理に係るフローチャートであり、詳細には、図８におけるステップ１４００（３）｛ステップ１４００（４）｝のサブルーチンに係る、第二調整モード（並列）における第１特別図柄表示処理（第２特別図柄表示処理）のフローチャートである。ここで、本最良形態と相違する点は、ステップ１４０３Ａ−３〜ステップ１４０３Ｂ−３の処理が存在する点のみである。ステップ１４０３Ａ−３〜ステップ１４０３Ｂ−３は、調整モード制御手段１２３０が第１変動回数カウンタ１１９１ｄ中の変動回数カウンタ値に１を加算するという処理である。
【０１４６】
次に、図３０は、図８のステップ１６００のサブルーチンに係る、調整モード切替判定処理のフローチャートである。まず、ステップ１６３０−３で、切替条件充足判定手段１２３２は、第１変動回数カウンタ１１９１ｄ及び第２変動回数カウンタ１１９２ｄを参照し、変動回数カウンタ値が所定値（第２調整モード移行条件となる値）に到達したか否かを判定する。ここで、所定値としては、いずれか一方の変動回数であっても（例えば５００回毎）、両方の変動回数の合計であってもよい（例えば１０００回毎）。ステップ１６３０−３でＹｅｓの場合、ステップ１６１４−３で、切替条件充足判定手段１２３２は、調整モード関連情報一時記憶手段１２３３を参照し、現在の調整モードが第１調整モードであるか否かを判定する。ステップ１６１４−３でＹｅｓの場合、ステップ１６１６−３で、調整モード制御手段１２３０は、当該図柄変動停止後に第２調整モード切替実行フラグをオンにし、次の処理（ステップ１７００の調整モード切替実行処理）に移行する。
【０１４７】
他方、ステップ１６３０−３でＮｏの場合、ステップ１６３２−２で、切替条件充足判定手段１２３２は、第１変動回数カウンタ１１９１ｄ及び第２変動回数カウンタ１１９２ｄを参照し、変動回数カウンタ値が所定値（第１調整モード移行条件となる値）に到達したか否かを判定する。ここで、所定値としては、いずれか一方の変動回数であっても（例えば、第２調整モードでの変動回数が２５０回）、両方の変動回数の合計であってもよい（例えば、第２調整モードでの変動回数の合計が５００回）。ステップ１６３２−３でＹｅｓの場合、ステップ１６１８−３で、切替条件充足判定手段１２３２は、調整モード関連情報一時記憶手段１２３３を参照し、現在の調整モードが第２調整モードであるか否かを判定する。ステップ１６１８−３でＹｅｓの場合、ステップ１６２０−３で、調整モード制御手段１２３０は、調整モード関連情報一時記憶手段１２３３中の第１調整モード切替実行フラグをオンにし、次の処理（ステップ１７００の調整モード切替実行処理）に移行する。
【０１４８】
本変更例によれば、第一識別情報及び／又は第二識別情報の変動回数が所定値に到達した場合に擬似高確率抽選状態又は擬似低確率抽選状態となるので、遊技者に対して、抽選（特別遊技を発生させる抽選）以外の遊技要素であって実質的な確率変動状態を作り出すという遊技要素を目的とした新たな遊技を提供することができるという効果を奏する。
【０１４９】
次に、本最良形態に係る第３変更例について説明する。ここで、第３変更例は、前述したように、停止図柄として特定図柄（例えば、所定の当たり図柄や所定のハズレ図柄）が選択された場合に擬似確率変動遊技状態に移行するタイプである。そこで、図３１のフローチャートを参照しながら、当該変更例に係るパチンコ遊技機の処理上の特徴（特に調整モード切替判定処理）を説明する。まず、ステップ１６３０−４で、切替条件充足判定手段１２３２は、第１特図情報一時記憶手段１１９１ｂ及び第２特図情報一時記憶手段１１９２ｂを参照し、いずれかの特別図柄が変動中であるか否かを判定する。ステップ１６３０−４でＹｅｓの場合、ステップ１６３２−４で、切替条件充足判定手段１２３２は、第１特図情報一時記憶手段１１９１ｂ及び第２特図情報一時記憶手段１１９２ｂを参照し、決定したいずれかの停止図柄が特定図柄Ａであるか否かを判定する。ここで、特定図柄Ａとしては、例えば、特定のハズレ図柄（例えば、「−」や「＝」といった停止図柄）や特定の大当たり図柄（例えば、「１」や「２」といった停止図柄）を挙げることができる。そして、ステップ１６３２−４でＹｅｓの場合、ステップ１６１４−４で、切替条件充足判定手段１２３２は、調整モード関連情報一時記憶手段１２３３を参照し、現在の調整モードが第１調整モードであるか否かを判定する。ステップ１６１４−４でＹｅｓの場合、ステップ１６１６−４で、調整モード制御手段１２３０は、当該図柄変動停止後に第２調整モード切替実行フラグをオンにし、次の処理（ステップ１７００の調整モード切替実行処理）に移行する。尚、本変更例では、特別図柄の停止図柄に基づき擬似確率変動遊技状態に移行するように構成したが、サブ側（第１演出表示制御手段２１５０や第２演出表示制御手段２２５０）での装飾図柄の停止図柄（例えば、「１２３」といった連続したハズレ停止図柄、「７７６」といったハズレリーチ停止図柄、「２２２」等の非確変大当たり図柄、「７７７」等の確変大当たり図柄）に基づき擬似確率変動遊技状態に移行するように構成してもよい。尚、この場合、第１演出表示制御手段２１５０や第２演出表示制御手段２２５０は、主制御装置１０００側に対して図柄情報を送信するための図柄情報送信手段を備えることになる。
【０１５０】
他方、ステップ１６３２−４でＮｏの場合、ステップ１６３４−４で、切替条件充足判定手段１２３２は、第１特図情報一時記憶手段１１９１ｂ及び第２特図情報一時記憶手段１１９２ｂを参照し、決定したいずれかの停止図柄が特定図柄Ｂであるか否かを判定する。ここで、特定図柄Ｂとしては、例えば、特定のハズレ図柄（例えば、「−」や「＝」といった停止図柄）や特定の大当たり図柄（例えば、「１」や「２」といった停止図柄）を挙げることができる。ステップ１６３４−４でＹｅｓの場合、ステップ１６１８−４で、切替条件充足判定手段１２３２は、調整モード関連情報一時記憶手段１２３３を参照し、現在の調整モードが第２調整モードであるか否かを判定する。ステップ１６１８−４でＹｅｓの場合、ステップ１６２０−４で、調整モード制御手段１２３０は、調整モード関連情報一時記憶手段１２３３中の第１調整モード切替実行フラグをオンにし、次の処理（ステップ１７００の調整モード切替実行処理）に移行する。
【０１５１】
本変更例によれば、第一識別情報又は第二識別情報が所定の停止識別情報の場合に擬似高確率抽選状態又は擬似低確率抽選状態となるので、遊技の進行における停止識別情報の位置付けを変更することができる。例えば、単に当たり・ハズレを表示するだけの位置付けとせず、実質的な高確率抽選状態（確率変動遊技状態）への移行契機となるか否かの位置付けをさらに付与することが可能となる。また、当たりの種類により切替を行なう場合には、実質的に確率変動の種類を増加することができる。例えば、ある当たり識別情報を契機として、当たりの抽選テーブルを高確率抽選用のものに切り替える一方、別の当たり識別情報を契機として、第一調整モードから第二調整モードに切替えて擬似高確率抽選状態とする態様を挙げることができる。
【０１５２】
次に、本最良形態に係る第４変更例について説明する。ここで、第４変更例は、前述したように、遊技状態が移行（本例では確率変動状態を例示）した場合に擬似確率変動遊技状態に移行するタイプである。そこで、図３２のフローチャートを参照しながら、当該変更例に係るパチンコ遊技機の処理上の特徴（特に調整モード切替判定処理）を説明する。まず、ステップ１６３０−５で、切替条件充足判定手段１２３２は、第１フラグ一時記憶手段１１９１ａ又は第２フラグ一時記憶手段１１９２ａを参照し、確率変動フラグがオンであるか否か、即ち、現在の遊技状態が確率変動遊技状態であるか否かを判定する。ステップ１６３０−５でＹｅｓの場合、ステップ１６１４−５で、切替条件充足判定手段１２３２は、調整モード関連情報一時記憶手段１２３３を参照し、現在の調整モードが第１調整モードであるか否かを判定する。ステップ１６１４−５でＹｅｓの場合、ステップ１６１６−５で、調整モード制御手段１２３０は、当該図柄変動停止後に第２調整モード切替実行フラグをオンにし、次の処理（ステップ１７００の調整モード切替実行処理）に移行する。
【０１５３】
他方、ステップ１６３０−５でＮｏの場合、ステップ１６１８−５で、切替条件充足判定手段１２３２は、調整モード関連情報一時記憶手段１２３３を参照し、現在の調整モードが第２調整モードであるか否かを判定する。ステップ１６１８−５でＹｅｓの場合、ステップ１６２０−５で、調整モード制御手段１２３０は、調整モード関連情報一時記憶手段１２３３中の第１調整モード切替実行フラグをオンにし、次の処理（ステップ１７００の調整モード切替実行処理）に移行する。
【０１５４】
本変更例によれば、ある遊技状態から当該遊技状態とは遊技者の利益状態が異なる別の遊技状態へ移行した場合に擬似高確率抽選状態又は擬似低確率抽選状態となるので、例えば、高確率抽選状態に移行した際に擬似高確率抽選状態とすれば、特別遊技移行までの時間がより短縮され、低確率抽選状態（通常遊技状態）に移行した際に擬似高確率抽選状態とすれば、低確率と擬似高抽選確率とで確率が相殺され中間的な確率抽選状態を構築でき、高確率抽選状態に移行した際に擬似低確率抽選状態とすれば、高確率と擬似低抽選確率とで確率が相殺され中間的な確率抽選状態を構築でき、低確率抽選状態に移行した際に擬似低確率抽選状態とすれば、特別遊技移行までの時間がより長くなる状態を構築できる。このように、実質的な抽選確率として複数のモードを形成させることができるという効果を奏する。
【０１５５】
次に、本最良形態に係る第５変更例について説明する。ここで、第５変更例は、前述したように、第１遊技の特別図柄の保留球数と第２遊技の特別図柄の保留球数の合計が所定個数以上である場合に擬似確率変動遊技状態に移行するタイプである｛本最良形態との相違は、本最良形態が所定条件の決定処理を行うのに対して、当該変更例は初めから所定条件が固定されている点である（保留合計数Ｖｅｒ）｝。そこで、図３３のフローチャートを参照しながら、当該変更例に係るパチンコ遊技機の処理上の特徴（特に調整モード切替判定処理）を説明する。まず、ステップ１６３０−６で、切替条件充足判定手段１２３２は、第１特図保留情報一時記憶手段１１３１ａ及び第２特図保留情報一時記憶手段１１３２ａを参照し、保留球個数の合計が所定個数（例えば４個）以上であるか否かを判定する。ステップ１６３０−６でＹｅｓの場合、ステップ１６１４−６で、切替条件充足判定手段１２３２は、調整モード関連情報一時記憶手段１２３３を参照し、現在の調整モードが第１調整モードであるか否かを判定する。ステップ１６１４−６でＹｅｓの場合、ステップ１６１６−６で、調整モード制御手段１２３０は、当該図柄変動停止後に第２調整モード切替実行フラグをオンにし、次の処理（ステップ１７００の調整モード切替実行処理）に移行する。
【０１５６】
他方、ステップ１６３０−６でＮｏの場合、ステップ１６１８−６で、切替条件充足判定手段１２３２は、調整モード関連情報一時記憶手段１２３３を参照し、現在の調整モードが第２調整モードであるか否かを判定する。ステップ１６１８−６でＹｅｓの場合、ステップ１６２０−６で、調整モード制御手段１２３０は、調整モード関連情報一時記憶手段１２３３中の第１調整モード切替実行フラグをオンにし、次の処理（ステップ１７００の調整モード切替実行処理）に移行する。
【０１５７】
本変更例によれば、第一乱数記憶手段及び第二乱数記憶手段に一時記憶されている第一乱数及び第二乱数の数が所定値に到達した場合に擬似高確率抽選状態又は擬似低確率抽選状態となるので、遊技者による遊技球発射に影響を与えることが可能になるという効果を奏する。加えて、所定の保留球数に達したときに擬似低確率抽選状態から擬似高確率抽選状態へと切替え、所定の保留球数未満となったときに擬似高確率抽選状態から擬似低確率抽選状態へと切替えるように構成されているので、遊技者に継続して遊技球発射を促すことにつながる。
【０１５８】
次に、本最良形態に係る第６変更例について説明する。ここで、第６変更例は、前述したように、第１遊技の特別図柄の保留球数と第２遊技の特別図柄の保留球数が所定条件を充足した場合に擬似確率変動遊技状態に移行するタイプである｛本最良形態との相違は、本最良形態が所定条件の決定処理を行うのに対して、当該変更例は初めから所定条件が固定されている点である（各保留数＋保留合計数Ｖｅｒ）｝。また、前述の変更例（５）は、第１特別図柄に係る保留球個数と第２特別図柄に係る保留球個数との合計のみに基づき調整モードの切替処理を行うよう構成されていたが、当該変更例では、第１特別図柄に係る保留球個数と第２特別図柄に係る保留球個数との合計個数、第１特別図柄に係る保留球個数及び第２特別図柄に係る保留球個数に基づき、第１調整モードと第２調整モードの切替処理を行うよう構成されている。そこで、図３４のフローチャートを参照しながら、当該変更例に係るパチンコ遊技機の処理上の特徴（特に調整モード切替判定処理）を説明する。まず、ステップ１６３０−７で、切替条件充足判定手段１２３２は、第１特図保留情報一時記憶手段１１３１ａ及び第２特図保留情報一時記憶手段１１３２ａを参照し、保留球個数の合計が所定個数（例えば５個）以上であるか否かを判定する。ステップ１６３０−７でＹｅｓの場合、ステップ１６３２−７で、切替条件充足判定手段１２３２は、第１特図保留情報一時記憶手段１１３１ａを参照し、第１特別図柄に係る保留球個数が所定個数（例えば２個以上）以上であるか否かを判定する。ステップ１６３２−７でＹｅｓの場合、ステップ１６３４−７で、切替条件充足判定手段１２３２は、第２特図保留情報一時記憶手段１１３２ａを参照し、第２特別図柄に係る保留球個数が所定個数以上（例えば２個以上）であるか否かを判定する。ステップ１６３４−７でＹｅｓの場合、ステップ１６１４−７で、切替条件充足判定手段１２３２は、調整モード関連情報一時記憶手段１２３３を参照し、現在の調整モードが第１調整モードであるか否かを判定する。ステップ１６１４−７でＹｅｓの場合、ステップ１６１６−７で、調整モード制御手段１２３０は、当該図柄変動停止後に第２調整モード切替実行フラグをオンにし、次の処理（ステップ１７００の調整モード切替実行処理）に移行する。
【０１５９】
他方、ステップ１６３０−７でＮｏの場合、ステップ１６１８−７で、切替条件充足判定手段１２３２は、調整モード関連情報一時記憶手段１２３３を参照し、現在の調整モードが第２調整モードであるか否かを判定する。ステップ１６１８−７でＹｅｓの場合、ステップ１６２０−７で、調整モード制御手段１２３０は、調整モード関連情報一時記憶手段１２３３中の第１調整モード切替実行フラグをオンにし、次の処理（ステップ１７００の調整モード切替実行処理）に移行する。
【０１６０】
本変更例によれば、第一乱数記憶手段及び／又は第二乱数記憶手段に一時記憶されている第一乱数及び／又は第二乱数の数が所定値に到達した場合に擬似高確率抽選状態又は擬似低確率抽選状態となるので、遊技者による遊技球発射に影響を与えることが可能になるという効果を奏する。加えて、所定の保留球数に達したときに擬似低確率抽選状態から擬似高確率抽選状態へと切替え、所定の保留球数未満となったときに擬似高確率抽選状態から擬似低確率抽選状態へと切替えるように構成されているので、遊技者に継続して遊技球発射を促すことにつながる。
【０１６１】
次に、本最良形態に係る第７変更例について説明する。ここで、第７変更例は、前述したように、所定時間に到達した場合に擬似確率変動遊技状態に移行するタイプである。そこで、まず、図３のブロック図を参照しながら、当該変更例に係るパチンコ遊技機の機能上の特徴を説明する。本変更例に係るパチンコ遊技機は、遊技機における一般的（全般的）な遊技状態を一時記憶するための一般遊技状態一時記憶手段１１９４を有している。ここで、一般遊技状態一時記憶手段１１９４は、遊技機に関するあらゆる時間等（例えば、現在の時刻、電源を投入してからの時間、遊技店の開店・閉店時間等）を管理するための遊技機時間管理手段１１９４ｂを有している。更に、遊技機時間管理手段１１９４ｂは、時間を計測可能な遊技機内蔵タイマ１１９４ｂ−１を有している。
【０１６２】
次に、図３５のフローチャートを参照しながら、当該変更例に係るパチンコ遊技機の処理上の特徴（特に調整モード切替判定処理）を説明する。まず、ステップ１６３０−８で、切替条件充足判定手段１２３２は、遊技機内蔵タイマ１１９４ｂ−１を参照し、第２調整モード移行条件に到達しているか否かを判定する。ここで、当該移行条件としては、例えば、特定の時間（開店直後、夕方６時、閉店前１時間）に到達した場合を挙げることができる。ステップ１６３０−８でＹｅｓの場合、ステップ１６１４−８で、切替条件充足判定手段１２３２は、調整モード関連情報一時記憶手段１２３３を参照し、現在の調整モードが第１調整モードであるか否かを判定する。ステップ１６１４−８でＹｅｓの場合、ステップ１６１６−８で、調整モード制御手段１２３０は、当該図柄変動停止後に第２調整モード切替実行フラグをオンにし、次の処理（ステップ１７００の調整モード切替実行処理）に移行する。
【０１６３】
他方、ステップ１６３０−８でＮｏの場合、ステップ１６３２−８で、切替条件充足判定手段１２３２は、遊技機内蔵タイマ１１９４ｂ−１を参照して第１調整モード移行条件に到達しているか否かを判定する。ここで、当該移行条件としては、例えば、特定の時間（開店から２時間後、夕方７時）に到達した場合を挙げることができる。そして、ステップ１６３２−８でＹｅｓの場合、ステップ１６１８−８で、切替条件充足判定手段１２３２は、調整モード関連情報一時記憶手段１２３３を参照し、現在の調整モードが第２調整モードであるか否かを判定する。ステップ１６１８−８でＹｅｓの場合、ステップ１６２０−８で、調整モード制御手段１２３０は、調整モード関連情報一時記憶手段１２３３中の第１調整モード切替実行フラグをオンにし、次の処理（ステップ１７００の調整モード切替実行処理）に移行する。
【０１６４】
本変更例によれば、内蔵タイマが所定時間に到達した場合に擬似高確率抽選状態又は擬似低確率抽選状態となるので、有利な状況及び／又は不利な状況を時間単位で設定でき、遊技機全体の出球率を均衡化させることが可能になるという効果を奏する。更には、店舗管理者は、どの時間に擬似高確率抽選状態にするか（例えば、開店直後だといわゆるモーニング状態が構築可能）や、どの程度の時間だけ擬似高確率抽選状態を維持するのかといった時間面、どの程度の遊技機台数を擬似高確率抽選状態にするかといった量面、店舗内のどの遊技機を擬似高確率抽選状態にするかといった場所面等を自由に設定できるので、店舗の経営戦略を容易に遊技機に反映させることができると共に、遊技者に対しても遊技意欲を向上させることが可能になるという効果も奏する。
【０１６５】
次に、本最良形態に係る第８変更例について説明する。ここで、第８変更例は、前述したように、一般入賞口に所定個数入賞した場合に擬似確率変動遊技状態に移行するタイプである。尚、本変更例では、対象となる入賞口として一般入賞口を例示したが、他の入賞口（例えば、特図に係る始動口、普図に係る始動口等）でもよい。まず、図１の外観図及び図３のブロック図に示すように、当該変更例に係るパチンコ遊技機は、一般入賞口２４１０を有している。そして、一般入賞口２４１０は、遊技球の入球を検出するセンサであり、入球時にその入球を示す一般入賞口入球情報を生成する一般入賞口入球検出装置２４１１をその内部に備えている。更に、図３のブロック図に示すように、本遊技機は、一般入賞口２４１０へ遊技球が入球したか否かを判定するための一般入賞口入球判定手段１１１４と、一般入賞口２４１０への遊技球の入球個数を一時記憶するための一般入賞口入球情報一時記憶手段１１９４ａとを更に有している。
【０１６６】
次に、図５、図３６及び図３７のフローチャートを参照しながら、当該変更例に係るパチンコ遊技機の処理上の特徴を説明する。まず、図５は、図４におけるステップ１０のサブルーチンに係る、入賞処理のフローチャートである。ここで、本最良形態と相違する点は、ステップ１９００の処理が存在する点のみである。ステップ１９００は、主制御装置１０００が一般入賞口入球カウント処理を実行するという処理である。
【０１６７】
次に、図３６のブローチャートを参照しながら、前記ステップ１９００について説明する。まず、ステップ１９０２−９で、一般入賞口入球判定手段１１１４は、一般入賞口２４１０に遊技球が入球したか否かを判定する。ステップ１９０２−９でＹｅｓの場合、ステップ１９０４−９で、調整モード制御手段１２３０は、一般入賞口入球情報一時記憶手段１１９４ａ中の一般入賞口入球カウンタ値に１を加算し、次の処理（ステップ１２）に移行する。他方、ステップ１９０２−９でＮｏの場合にも、次の処理（ステップ１２）に移行する。
【０１６８】
次に、図３７は、図８でのステップ１６００のサブルーチンに係る、調整モード切替判定処理のフローチャートである。まず、ステップ１６３０−９で、切替条件充足判定手段１２３２は、一般入賞口入球情報一時記憶手段１１９４ａを参照し、一般入賞口入球カウンタ値が所定値（第２調整モード移行条件となる値）に到達したか否かを判定する。ここで、所定値としては、例えば１０×Ｎ球（ここで、Ｎは自然数）を挙げることができる。ステップ１６３０−９でＹｅｓの場合、ステップ１６１４−９で、切替条件充足判定手段１２３２は、調整モード関連情報一時記憶手段１２３３を参照し、現在の調整モードが第１調整モードであるか否かを判定する。ステップ１６１４−９でＹｅｓの場合、ステップ１６１６−９で、調整モード制御手段１２３０は、当該図柄変動停止後に第２調整モード切替実行フラグをオンにし、次の処理（ステップ１７００の調整モード切替実行処理）に移行する。
【０１６９】
他方、ステップ１６３０−９でＮｏの場合、ステップ１６３２−９で、切替条件充足判定手段１２３２は、一般入賞口入球情報一時記憶手段１１９４ａを参照し、一般入賞口入球カウンタ値が所定値（第１調整モード移行条件となる値）に到達したか否かを判定する。ここで、所定値としては、例えば（１０×Ｎ＋５）球（ここで、Ｎは自然数）を挙げることができる。そして、ステップ１６３２−９でＹｅｓの場合、ステップ１６１８−９で、切替条件充足判定手段１２３２は、調整モード関連情報一時記憶手段１２３３を参照し、現在の調整モードが第２調整モードであるか否かを判定する。ステップ１６１８−９でＹｅｓの場合、ステップ１６２０−９で、調整モード制御手段１２３０は、調整モード関連情報一時記憶手段１２３３中の第１調整モード切替実行フラグをオンにし、次の処理（ステップ１７００の調整モード切替実行処理）に移行する。
【０１７０】
本変更例によれば、遊技領域に設けられた所定の入球口へ遊技球が入球又は所定個数入球した場合に擬似高確率抽選状態又は擬似低確率抽選状態となるので、遊技者に対して、抽選（特別遊技を発生させる抽選）以外の遊技要素であって実質的な確率変動状態を作り出すという遊技要素を目的とした新たな遊技を提供することができるという効果を奏する。
【図面の簡単な説明】
【０１７１】
【図１】図１は、本発明の最良形態に係るパチンコ遊技機の正面図である。
【図２】図２は、本発明の最良形態に係るパチンコ遊技機の背面図である。
【図３】図３は、本発明の最良形態に係るパチンコ遊技機の機能ブロック図である。
【図４】図４は、本発明の最良形態に係るパチンコ遊技機における、主制御装置側でのメインフローチャートである。
【図５】図５は、本発明の最良形態に係るパチンコ遊技機における、主制御装置側での入賞処理のフローチャートである。
【図６】図６は、本発明の最良形態に係るパチンコ遊技機における、主制御装置側での普通図柄当選乱数取得処理のフローチャートである。
【図７】図７は、本発明の最良形態に係るパチンコ遊技機における、主制御装置側での特別遊技内容決定乱数取得処理のフローチャートである。
【図８】図８は、本発明の最良形態に係るパチンコ遊技機における、主制御装置側での通常遊技制御処理のフローチャートである。
【図９】図９は、本発明の最良形態に係るパチンコ遊技機における、主制御装置側での調整モード切替判定処理のフローチャートである。
【図１０】図１０は、本発明の最良形態に係るパチンコ遊技機における、主制御装置側での調整モード切替実行処理のフローチャートである。
【図１１】図１１は、本発明の最良形態に係るパチンコ遊技機における、主制御装置側での第１特別図柄表示処理（第２特別図柄表示処理）のフローチャートである。
【図１２】図１２は、本発明の最良形態に係るパチンコ遊技機における、主制御装置側での第１特別図柄表示処理（第２特別図柄表示処理）のフローチャートである（タイプＡ）。
【図１３】図１３は、本発明の最良形態に係るパチンコ遊技機における、主制御装置側での特定遊技終了判定処理のフローチャートである。
【図１４】図１４は、本発明の最良形態に係るパチンコ遊技機における、主制御装置側での特別遊技作動条件判定処理のフローチャートである。
【図１５】図１５は、本発明の最良形態に係るパチンコ遊技機における、主制御装置側での特別遊技終了後の遊技状態決定処理のフローチャートである。
【図１６】図１６は、本発明の最良形態に係るパチンコ遊技機における、主制御装置側での電チュー駆動判定処理のフローチャートである。
【図１７】図１７は、本発明の最良形態に係るパチンコ遊技機における、主制御装置側での特別遊技制御処理のフローチャートである。
【図１８】図１８は、本発明の最良形態に係るパチンコ遊技機における、主制御装置側での第１特別遊技実行処理（第２特別遊技実行処理）のフローチャートである。
【図１９】図１９は、本発明の最良形態に係るパチンコ遊技機における、表示制御装置側でのメインフローチャートである。
【図２０】図２０は、本発明の最良形態に係るパチンコ遊技機における、表示制御装置側での第１装飾図柄表示制御処理（第２装飾図柄表示制御処理）のフローチャートである（タイプＡ）。
【図２１】図２１は、本発明の最良形態に係るパチンコ遊技機における、表示制御装置側での操作ナビ表示制御処理のフローチャートである。
【図２２】図２２は、本発明の最良形態に係るパチンコ遊技機における、表示制御装置側での特別遊技中表示制御処理のフローチャートである。
【図２３】図２３は、本発明の最良形態に係るパチンコ遊技機に係るパチンコ遊技機における作用を示すタイミングチャートの一例である。
【図２４】図２４は、本発明の最良形態に係るパチンコ遊技機に係るパチンコ遊技機における作用を示すタイミングチャートの一例である。
【図２５】図２５は、装図表示部上に表示される画面例である（保留条件情報表示画面）。
【図２６】図２６は、本発明の最良形態に係るパチンコ遊技機における、主制御装置側での第１特別図柄表示処理（第２特別図柄表示処理）のフローチャートである（タイプＢ）。
【図２７】図２７は、本発明の最良形態に係るパチンコ遊技機における、表示制御装置側での第１装飾図柄表示制御処理（第２装飾図柄表示制御処理）のフローチャートである（タイプＢ）。
【図２８】図２８は、本発明の最良形態に係るパチンコ遊技機に係るパチンコ遊技機における作用を示すタイミングチャートの一例である（タイプＢ）。
【図２９】図２９は、本発明の最良形態に係るパチンコ遊技機における、主制御装置側での調整モード切替判定処理のフローチャートである（第１変更例）。
【図３０】図３０は、本発明の最良形態に係るパチンコ遊技機における、主制御装置側での調整モード切替判定処理のフローチャートである（第２変更例）。
【図３１】図３１は、本発明の最良形態に係るパチンコ遊技機における、主制御装置側での調整モード切替判定処理のフローチャートである（第３変更例）。
【図３２】図３２は、本発明の最良形態に係るパチンコ遊技機における、主制御装置側での調整モード切替判定処理のフローチャートである（第４変更例）。
【図３３】図３３は、本発明の最良形態に係るパチンコ遊技機における、主制御装置側での調整モード切替判定処理のフローチャートである（第５変更例）。
【図３４】図３４は、本発明の最良形態に係るパチンコ遊技機における、主制御装置側での調整モード切替判定処理のフローチャートである（第６変更例）。
【図３５】図３５は、本発明の最良形態に係るパチンコ遊技機における、主制御装置側での調整モード切替判定処理のフローチャートである（第７変更例）。
【図３６】図３６は、本発明の最良形態の変更例に係るパチンコ遊技機における、主制御装置側での一般入賞口入球カウント処理のフローチャートである（第８変更例）。
【図３７】図３７は、本発明の最良形態に係るパチンコ遊技機における、主制御装置側での調整モード切替判定処理のフローチャートである（第８変更例）。
【０１７２】
１１２１  第１特図抽選手段
１１２２  第２特図抽選手段
１１３１  第１特図保留手段
１１３１ａ  第１特図保留情報一時記憶手段
１１３２  第２特図保留手段
１１３２ａ  第２特図保留情報一時記憶手段
１１４１  第１特図内容決定手段
１１４２  第２特図内容決定手段
１１５１  第１特図制御手段
１１５２  第２特図制御手段
１１７１ａ  第１条件判定手段
１１７１ｂ  第１特別遊技実行手段
１１７２ａ  第２条件判定手段
１１７２ｂ  第２特別遊技実行手段
１１９４ｂ−１  遊技機内蔵タイマ
１２２０  作動回避制御手段
１２３０  調整モード制御手段
２１１０  第１特図始動口
２１２０  第１大入賞口
２１３１  第１特図表示部
２２１０  第２特図始動口
２２２０  第２大入賞口
２２３１  第２特図表示部
２４１０  一般入賞口
【図１】
2007111376.tif 000003
【図２】
2007111376.tif 000004
【図３】
2007111376.tif 000005
【図４】
2007111376.tif 000006
【図５】
2007111376.tif 000007
【図６】
2007111376.tif 000008
【図７】
2007111376.tif 000009
【図８】
2007111376.tif 000010
【図９】
2007111376.tif 000011
【図１０】
2007111376.tif 000012
【図１１】
2007111376.tif 000013
【図１２】
2007111376.tif 000014
【図１３】
2007111376.tif 000015
【図１４】
2007111376.tif 000016
【図１５】
2007111376.tif 000017
【図１６】
2007111376.tif 000018
【図１７】
2007111376.tif 000019
【図１８】
2007111376.tif 000020
【図１９】
2007111376.tif 000021
【図２０】
2007111376.tif 000022
【図２１】
2007111376.tif 000023
【図２２】
2007111376.tif 000024
【図２３】
2007111376.tif 000025
【図２４】
2007111376.tif 000026
【図２５】
2007111376.tif 000027
【図２６】
2007111376.tif 000028
【図２７】
2007111376.tif 000029
【図２８】
2007111376.tif 000030
【図２９】
2007111376.tif 000031
【図３０】
2007111376.tif 000032
【図３１】
2007111376.tif 000033
【図３２】
2007111376.tif 000034
【図３３】
2007111376.tif 000035
【図３４】
2007111376.tif 000036
【図３５】
2007111376.tif 000037
【図３６】
2007111376.tif 000038
【図３７】
2007111376.tif 000039